(57)【要約】【課題】干渉式光信号対雑音比モニタのための補正表を提供する【解決手段】本開示は、測定された光信号対雑音比（OSNR）を補正する、コンピュータにより実装される方法であって、光信号を受領し、干渉式OSNRモニタ装置を使って該光信号のOSNRを測定することを含む方法を含む。本方法はまた、コントローラを使って、測定されたOSNRに補正表を適用して補正されたOSNRを生成することをも含む。補正表は、測定されたOSNR内のアーチファクトを打ち消すための補正関数を含む。本方法はまた、補正されたONSRを非一時的なコンピュータ可読媒体に格納することを含む。本開示は、補正表を適用する関連する装置および補正表を生成する方法をも含む。【選択図】図１
2015133699.tif 000002
【特許請求の範囲】
【請求項１】
測定された光信号対雑音比（OSNR）を補正するための補正表を生成する、コンピューティング・プロセッサにより実装される方法であって：
光信号を受領する段階と；
コントローラによって、前記光信号の測定されたOSNRに付随するアーチファクトを検出する段階と；
前記コントローラによって、前記アーチファクトを打ち消すための補正関数を計算する段階であって、前記補正関数は測定されたOSNRにわたって変化する、段階と；
前記補正関数を非一時的なコンピュータ可読媒体において前記補正表に格納する段階とを含む、
方法。
【請求項２】
請求項１記載の方法であって、さらに：
第一の既知の値をもつ第一のOSNRを測定する段階と；
第二の既知の値をもつ第二のOSNRを測定する段階とを含み、
前記アーチファクトの補正関数を計算する段階が：
前記第一のOSNRと前記第一の既知の値との間の前記アーチファクトによって引き起こされる第一の差を決定し；
前記第二のOSNRと前記第二の既知の値との間の前記アーチファクトによって引き起こされる第二の差を決定することを含む、
方法。
【請求項３】
前記アーチファクトが、通過帯域縮小効果、光フィルタの周波数オフセットおよび送信器の周波数オフセットのうちの一つを含む、請求項１記載の方法。
【請求項４】
前記アーチファクトが、通過帯域縮小効果、光フィルタの周波数オフセットまたは送信器の周波数オフセットを含む場合に、前記補正表の異なる補正関数が生成される、請求項３記載の方法。
【請求項５】
異なる帯域幅、前記光信号の異なるパワーおよび前記光信号が通過した、ネットワークの異なるスパン数について異なる補正関数が生成される、請求項１記載の方法。
【請求項６】
異なる光信号変調方式が、パワー分布および較正因子(s,a)について異なる値をもつ、請求項１記載の方法。
【請求項７】
前記OSNRが式
【数６】
2015133699.tif 000008
を使って測定される、請求項１記載の方法。
【請求項８】
前記補正表が、5dBないし35dBのOSNRについての補正を含む、請求項１記載の方法。
【請求項９】
前記補正表が、実際のOSNRの0.5dB以内まで前記測定されたOSNRを補正する、請求項１記載の方法。
【請求項１０】
測定された光信号対雑音比（OSNR）を補正する、コンピューティング・プロセッサにより実装される方法であって：
光信号を受領する段階と；
干渉式OSNRモニタ装置を使って前記光信号のOSNRを測定する段階と；
コントローラを使って、測定されたOSNRに補正表を適用して補正されたOSNRを生成する段階であって、前記補正表は、測定されたOSNR内のアーチファクトを打ち消す補正関数を含む、段階と；
補正されたONSRを非一時的なコンピュータ可読媒体に格納する段階とを含む、
方法。
【請求項１１】
前記光信号が複数のデータ搬送波長を含み、当該方法がさらに：
前記光信号から第一のデータ搬送波長を分離する段階を含み、
前記測定されたOSNRは、前記第一のデータ搬送波長および付随する帯域内ノイズについて測定される、
請求項１０記載の方法。
【請求項１２】
前記光信号が複数のデータ搬送極性を含み、当該方法がさらに：
前記第一のデータ搬送波長の第一の極性を分離する段階を含み、
前記測定されたOSNRは、前記第一のデータ搬送波長の前記第一の極性および付随する帯域内ノイズについて測定される、
請求項１１記載の方法。
【請求項１３】
前記アーチファクトが、通過帯域縮小効果、光フィルタの周波数オフセットおよび送信器の周波数オフセットのうちの一つを含む、請求項１０記載の方法。
【請求項１４】
前記アーチファクトが、通過帯域縮小効果、光フィルタの周波数オフセットまたは送信器の周波数オフセットである場合に、異なる補正関数が適用される、請求項１３記載の方法。
【請求項１５】
異なる帯域幅、前記光信号の異なるパワーおよび前記光信号が通過した、ネットワークの異なるスパン数について異なる補正関数が適用される、請求項１０記載の方法。
【請求項１６】
異なる光信号変調方式が、パワー分布および較正因子(s,a)について異なる値をもつ、請求項１０記載の方法。
【請求項１７】
前記OSNRが式
【数７】
2015133699.tif 000009
を使って測定される、請求項１０記載の方法。
【請求項１８】
前記補正表が、5dBないし35dBのOSNRについての補正を含む、請求項１０記載の方法。
【請求項１９】
前記補正表が、実際のOSNRの0.5dB以内まで前記測定されたOSNRを補正する、請求項１０記載の方法。
【請求項２０】
光信号の測定された光信号対雑音比（OSNR）を補正する装置であって：
前記光信号のOSNRが測定されるもとになりうる値を生成するよう構成されたモニタ装置と；
前記モニタ装置によって生成された値を使って前記光信号のOSNRを測定し、測定されたOSNRに補正表を適用して補正されたOSNRを生成するよう構成されたコントローラであって、前記補正表は、測定されたOSNR内のアーチファクトを打ち消す補正関数を含む、コントローラと；
前記コントローラから補正されたOSNRを受け取って該補正されたOSNRを記憶する非一時的なコンピュータ可読媒体とを有する、
装置。
【請求項２１】
前記モニタ装置が、前記光信号中の複数のデータ搬送波長から第一のデータ搬送波長を分離するようさらに構成されており、前記測定されたOSNRは、前記第一のデータ搬送波長および付随する帯域内ノイズについて測定される、請求項２０記載の装置。
【請求項２２】
前記モニタ装置が、前記光信号中の複数の極性から第一の極性を分離するようさらに構成されており、前記測定されたOSNRは、前記第一のデータ搬送波長の前記第一の極性および付随する帯域内ノイズについて測定される、請求項２１記載の装置。
【請求項２３】
前記アーチファクトが、通過帯域縮小効果、光フィルタの周波数オフセットおよび送信器の周波数オフセットのうちの一つを含む、請求項２０記載の装置。
【請求項２４】
前記アーチファクトが、通過帯域縮小効果、光フィルタの周波数オフセットまたは送信器の周波数オフセットである場合に、異なる補正関数が適用される、請求項２３記載の装置。
【請求項２５】
異なる帯域幅、前記光信号の異なるパワーおよび前記光信号が通過した、ネットワークの異なるスパン数について異なる補正関数が適用される、請求項２０記載の装置。
【請求項２６】
異なる光信号変調方式が、パワー分布および較正因子(s,a)について異なる値をもつ、請求項２０記載の装置。
【請求項２７】
前記OSNRが式
【数８】
2015133699.tif 000010
を使って測定される、請求項２０記載の装置。
【請求項２８】
前記補正表が、5dBないし35dBのOSNRについての補正を含む、請求項２０記載の装置。
【請求項２９】
前記補正表が、実際のOSNRの0.5dB以内まで前記測定されたOSNRを補正する、請求項２０記載の装置。
【発明の詳細な説明】
【技術分野】
【０００１】
本開示は概括的には光通信ネットワークに、より詳細には干渉式光信号対雑音比（OSNR:  optical  signal-to-noise  ratio）モニタのための補正表に関する。
【背景技術】
【０００２】
遠隔通信システム、ケーブル・テレビジョン・システムおよびデータ通信ネットワークは、隔たった点の間で大量の情報を迅速に伝達するために光ネットワークを使うことがある。光ネットワークでは、情報は、光ファイバーを通じて光信号の形で伝達されうる。光ファイバーは、非常に少ない損失で長距離にわたって信号を通信できるガラスの細線でありうる。
【０００３】
信号通信の有効性の解析における一つの考慮すべき事項は、光信号対雑音比（OSNR）である。この値は、信号の瞬時品質を示しうる。信号がネットワークを通るにつれて、信号は信号強度を失うことがある、あるいはノイズが増すことがある。その結果、全体的なOSNRが低下する。OSNRがある点より下まで低下すれば、信号は所望される宛先において読めないことがある。よって、OSNRを測定することが望ましいことがある。
【０００４】
OSNRは式(1)の関係によって表わせる。
【０００５】
OSNR[dB]＝10×log（Psig／Pnoise）        (1)
ここで、Psigは測定すべき信号のパワー（たとえば、信号強度の大きさ）を表わし、Pnoiseはノイズのパワーを表わす。たとえば、光信号については、これは光の強度を表わしていてもよい。
【０００６】
光ネットワークはしばしば光の異なる波長で異なる信号を光信号として搬送する。これらの波長はデータ搬送波長と称されることがある。OSNRのための測定をするとき、ノイズは、データ搬送波長に対応していてもいなくてもよい特定の帯域幅においてのみモニタリングされることがある。そのようなノイズは「帯域外」ノイズと称されることがある。対照的に、「帯域内」ノイズは、実際にモニタリングされている光信号についての帯域幅において、たとえばデータ搬送波長において存在するノイズである。「帯域内」ノイズは、異なる波長では異なることがあるので、OSNRの値は光信号内の異なるデータ搬送波長については異なることがある。
【０００７】
光信号はしばしば、光ファイバーを通じて光信号内の情報を伝達するために変調方式を用いる。そのような変調方式は、位相偏移変調（PSK:  phase-shift  keying）、周波数偏移変調（FSK:  frequency-shift  keying）、振幅偏移変調（ASK:  amplitude-shift  keying）および直交振幅変調（QAM:  quadrature  amplitude  modulation）を含みうる。
【０００８】
PSKでは、光信号によって搬送される情報は、搬送波としても知られる基準信号の位相を変調することによって伝達されうる。情報は、差動位相偏移変調（DPSK:  differential  phase-shift  keying）を使って信号自身の位相を変調することによって伝達されてもよい。
【０００９】
QAMでは、光信号によって搬送される情報は、搬送波の振幅および位相の両方を変調することによって伝達されてもよい。PSKは、QAMのうち搬送波の振幅が定数として維持されるサブセットと考えられてもよい。
【００１０】
PSKおよびQAM信号は、配位図上に実軸および虚軸をもつ複素平面を使って表わせる。情報を搬送するシンボルを表現する配位図上の点は、図の原点のまわりに一様な角度間隔をもって位置されてもよい。PSKおよびQAMを使って変調されるシンボルの数は増やしてもよく、それにより搬送できる情報を増してもよい。信号の数は2の倍数で与えられてもよい。追加的なシンボルが加えられる際、それらのシンボルは原点のまわりに一様な仕方で配置されてもよい。PSK信号は、配位図上の円内のそのような配置を含んでいてもよい。つまり、PSK信号はすべてのシンボルについて一定のパワーをもつ。QAM信号はPSK信号と同じ角度配置を有していてもよいが、異なる振幅配置を含んでいてもよい。QAM信号はそのシンボルを複数の円に沿って配置されていてもよい。つまり、QAM信号は異なるシンボルについて異なるパワーを含む。この配置は、シンボルができるだけ大きな距離分離されるので、ノイズのリスクを減らしうる。ここで、シンボル数mを使って「m-PSK」または「m-QAM」のように表わしてもよい。
【００１１】
異なる数のシンボルをもつPSKおよびQAMの例は、配位図上で0°および180°（または0およびπ）にある二つの位相を使う二値PSK（「BPSK」または「2-PSK」）；あるいは0°、90°、180°および270°（または0、π/2、πおよび3π/2）にある四つの位相を使う直交PSK（「QPSK」「4-PSK」または「4-QAM」）を含むことができる。そのような信号における位相はオフセットされていてもよい。これはたとえば、16個の位相を使う16-QAMに拡張されてもよい。これらのさまざまな信号（たとえば2-PSKまたは16-QAM）は、配位図上の一つの円内に配置されてもよい。
【００１２】
M-PSK信号は、二重偏光QPSK（「DP-QPSK」）のような技法を使って偏光されてもよい。ここで、信号を直交偏光させることにより、別個のm-PSK信号が多重化される。さらに、M-QAM信号は、二重偏光M-QAM（「DP-M-QAM」）のような技法を使って偏光されてもよい。ここでは、信号を直交偏光させることにより、別個のM-QAM信号が多重化される。
【発明の概要】
【発明が解決しようとする課題】
【００１３】
本発明は、干渉式光信号対雑音比モニタのための補正表を提供する。
【課題を解決するための手段】
【００１４】
ある実施形態では、本開示は、測定された光信号対雑音比（OSNR）を補正するための補正表を生成する、コンピューティング・プロセッサにより実装される方法であって、光信号を受領し、コントローラによって該光信号の測定されたOSNRに付随するアーチファクトを検出することを含む方法を含む。本方法はまた、前記コントローラによって、前記アーチファクトを打ち消すための補正関数を計算する段階であって、前記補正関数は測定されたOSNRにわたって変化する、段階と、前記補正関数を非一時的なコンピュータ可読媒体において前記補正表に格納する段階をも含む。
【００１５】
もう一つの実施形態では、本開示は、測定された光信号対雑音比（OSNR）を補正する、コンピューティング・プロセッサにより実装される方法であって、光信号を受領し、干渉式OSNRモニタ装置を使って該光信号のOSNRを測定することを含む方法を含む。本方法はまた、コントローラを使って、測定されたOSNRに補正表を適用して補正されたOSNRを生成することをも含む。補正表は、測定されたOSNR内のアーチファクトを打ち消すための補正関数を含む。本方法はさらに、補正されたONSRを非一時的なコンピュータ可読媒体において格納することを含む。
【００１６】
もう一つの実施形態では、本開示は、光信号の測定された光信号対雑音比（OSNR）を補正する装置であって、光信号のOSNRが測定されるもとになりうる値を生成するよう構成されたモニタ装置と、前記モニタ装置によって生成された値を使って光信号のOSNRを測定し、測定されたOSNRに補正表を適用して補正されたOSNRを生成するよう構成されたコントローラとを有する装置を含む。補正表は、測定されたOSNR内のアーチファクトを打ち消すための補正関数を含む。本装置はまた、コントローラから補正されたOSNRを受け取って該補正されたOSNRを記憶する非一時的なコンピュータ可読媒体をも含む。
【図面の簡単な説明】
【００１７】
本開示およびその特徴および利点のより完全な理解のため、ここで、付属の図面との関連で参照される以下の記述が参照される。
【図１】本開示に基づく、光信号対雑音比（OSNR）を測定し、補正するシステムの例示的な実施形態を示す図である。
【図２Ａ】本開示に基づく、OSNRを補正するための補正表を生成し、適用する例示的な装置を示す図である。
【図２Ｂ】本開示に基づく、OSNRを補正するための補正表を生成し、適用する例示的な装置を示す図である。
【図３】本開示に基づく、光信号が複数の偏光成分をもつときにOSNRを測定し、補正するための装置の代替的な実施形態を示す図である。
【図４】本開示に基づく、光信号が複数の偏光成分をもつときにOSNRを測定し、補正するための装置の代替的な実施形態を示す図である。
【図５】本開示に基づく、光信号が複数の偏光成分をもつときにOSNRを測定し、補正するための装置の代替的な実施形態を示す図である。
【図６】本開示に基づく、光信号が複数の偏光成分をもつときにOSNRを測定し、補正するための装置の代替的な実施形態を示す図である。
【図７】本開示に基づく、光信号が複数の偏光成分をもつときにOSNRを測定し、補正するための装置の代替的な実施形態を示す図である。
【図８】本開示に基づく、光信号が複数の偏光成分をもつときにOSNRを測定し、補正するための装置の代替的な実施形態を示す図である。
【図９】ＡおよびＢは、本開示に基づく、光信号が複数の偏光成分をもつときにOSNRを測定し、補正するための装置の代替的な実施形態を示す図である。
【図１０】ＡおよびＢは、本開示に基づく、光信号が複数の偏光成分をもつときにOSNRを測定し、補正するための装置の代替的な実施形態を示す図である。
【図１１】ＡおよびＢは、本開示に基づく、光信号が複数の偏光成分をもつときにOSNRを測定し、補正するための装置の代替的な実施形態を示す図である。
【発明を実施するための形態】
【００１８】
本開示は、干渉式モニタを使って測定された光信号対雑音比（OSNR）を補正することに関する。OSNRを測定するとき、OSNRのための測定された値にはアーチファクトが存在することがある。そうしたアーチファクトは、光信号の送信、光信号の受信またさらにはOSNRのモニタリングにおいて使用されるハードウェアによって導入されることがある。そのようなアーチファクトは、特に高いまたは低いOSNRの事例において、OSNRの正しくない測定を引き起こしうる。測定されたOSNRに適用される補正表を導入することによって、これらのアーチファクトを低減することができ、正しいOSNRが報告または記録されうる。
【００１９】
図１は、OSNRを測定し、その補正された測定をもつことが望ましいことがありうるネットワークのある例示的な実施形態を示している。ネットワークはノード１１０を含んでいてもよく、ノード１１０は帯域内ノイズを測定するためのOSNRモニタ装置、たとえばOSNRモニタ装置１２０Ａおよび１２０Ｂと、ノード・コントローラ１３０と、スイッチング・デバイス１４０とを有していてもよい。ノード１１０は入来信号１５０を受領してもよく、入来信号１５０を主要成分１５４と副次成分１５２に分割する信号分割器を含んでいてもよい。ノード１１０はまた、出て行く信号１６０を副次成分１６２と主要成分１６４に分割する信号分割器をも含んでいてもよい。OSNRモニタ装置１２０Ａおよび１２０Ｂは、OSNRを測定するとともに、測定されたOSNRに補正表を適用するよう構成されていてもよい。
【００２０】
ネットワークは、ネットワークのコンポーネントによって通信される一つまたは複数の信号を転送するよう機能できる一つまたは複数の伝送媒体を含んでいてもよい。ネットワークのコンポーネントは、伝送媒体によって一緒に結合される、複数のネットワーク要素またはノード１１０を含んでいてもよい。ネットワークにおいて、各ノード１１０は一つまたは複数の他のノード１１０に結合されてもよい。しかしながら、いかなる好適な数のノード１１０のいかなる好適な構成がネットワークを作り出していてもよい。ネットワークは、共有されるメッシュ・ネットワーク、リング・ネットワーク、ポイントツーポイント・ネットワークまたは他の任意の好適なネットワークまたはネットワークの組み合わせとして構成されてもよい。本ネットワークは、短距離都市圏ネットワーク、長距離都市間ネットワークまたは他の任意の好適なネットワークまたはネットワークの組み合わせにおいて使用されてもよい。本ネットワークは、短距離都市圏ネットワーク、長距離都市間ネットワークおよび／または他の任意の好適なネットワークまたはネットワークの組み合わせの全部または一部を表わしていてもよい。
【００２１】
各伝送媒体は、ノード１１０を互いと通信上結合し、対応するノード１１０の間で情報を通信するよう構成されたいかなるシステム、デバイスまたは装置を含んでいてもよい。たとえば、伝送媒体は光ファイバー、イーサネット〔登録商標〕ケーブル、T1ケーブル、銅ケーブル、WiFi信号、ブルートゥース信号または他の好適な媒体を含みうる。本開示の実施形態では、光ファイバーは、非常に少ない損失で長距離にわたって信号を通信できるガラスの細線を含んでいてもよい。光ファイバーは、シングルモード・ファイバー（SMF:  Single-Mode  Fiber）、向上大有効面積ファイバー（ELEAF:  Enhanced  Large  Effective  Area  Fiber）またはトゥルーウェーブ軽減傾斜（TW-RS:  TrueWave（登録商標）  Reduced  Slope）ファイバーのようないかなる好適な型のファイバーを含んでいてもよい。ネットワーク１００の容量はたとえば、40Gbit/s、100Gbit/s、400Gbit/sまたは1Tbit/sを含みうる。情報は、該情報を波長上でエンコードする光の一つまたは複数の波長の変調によってネットワークを通じて送信され、受信されうる。さらに、情報は、該情報をさまざまな偏光成分、たとえばx偏光およびy偏光の成分においてエンコードする光の一つまたは複数の偏光の変調によって送信され、受信されうる。光ネットワーキングでは、光の波長は、チャネルと称されることもある。各チャネルは、ネットワークを通じてある量の情報を搬送するよう構成されていてもよい。
【００２２】
ネットワークは、伝送媒体を通じて情報または「トラフィック」を通信してもよい。トラフィックは、ネットワークにおいて伝送される、記憶されるまたはソートされる情報を含みうる。そのようなトラフィックは、オーディオ、ビデオ、テキストおよび／または他の任意の好適なデータをエンコードするよう構成された光または電気信号を含みうる。データはリアルタイムまたは非リアルタイムでありうる。トラフィックは、限定するものではないが、オープン・システムズ・インターコネクション（OSI）規格およびインターネット・プロトコル（IP）を含むいかなる好適な通信プロトコルを介して通信されてもよい。さらに、ネットワーク１００において通信されるトラフィックは、フレーム、パケットの形で構造化されていることを含むがそれに限られないいかなる適切な仕方で構造化されてもよく、あるいは構造化されないビットストリームであってもよい。
【００２３】
ノード１１０は、トラフィックを送信および受信するよう動作可能ないかなる好適なシステムを含んでいてもよい。図示した実施形態では、ノード１１０は、一つまたは複数の他のノードに直接トラフィックを送信し、一つまたは複数の他のノードから直接トラフィックを受信するよう動作可能であってもよい。ノード１１０は、ノード１１０の動作を実行するよう動作可能な、いかなる好適なコンポーネント構成を含んでいてもよい。一例として、ノード１１０は、ハードウェア、ソフトウェア、他の論理および／またはこれらの他の任意の好適な組み合わせのような論理を含んでいてもよい。論理は、動作を実行するよう命令を実行し、データを操作するよう動作可能な任意の好適なデバイス、たとえばプロセッサ、マイクロプロセッサ、フィールド・プログラム可能ゲート・アレイ（FPGA）または特定用途向け集積回路（ASIC）を含みうる。ノード・コントローラ１３０は、ノード１１０のための論理の実装であってもよい。ノード１１０は、入力を受け取る、出力を送る、入力および／または出力を処理するおよび／またはこれらの任意の組み合わせをするよう動作可能なインターフェースを含んでいてもよい。インターフェースとは、ポート、変換ソフトウェアまたは両方を含みうる。ノードは、情報を記憶し、その取り出しを容易にするよう動作可能な、論理のようなメモリを含んでいてもよい。メモリは、ランダム・アクセス・メモリ（RAM）、読み出し専用メモリ（ROM）、磁気ドライブ、ディスク・ドライブ、コンパクトディスク（CD）ドライブ、デジタルビデオディスク（DVD）ドライブ、リムーバブルメディア記憶、他の任意の好適なデータ記憶媒体またはそれらの任意のものの組み合わせおよび／または他の任意の好適なコンポーネントを含んでいてもよい。ノード１１０は電子装置として実装されてもよい。
【００２４】
ノード１１０は、左から入力信号１５０を受領し、信号１６０を右に出力するものとして図示されているが、これは単に便宜上のことであって、ノード１１０は同様に、右から左に、あるいは任意の度数および方向に通信してもよい。
【００２５】
本開示のある種の実施形態では、ノード１１０は、特定の偏光のほか、特定の波長またはチャネルにおいてネットワークを通じて光信号を送信するよう構成されていてもよい。たとえば、光信号は、二重の偏光成分、つまり互いに直交するx偏光およびy偏光成分を含んでいてもよい。これらの軸はさまざまな度合いで回転またはシフトされてもよい。ノード１１０は、電気信号を光信号に変換して該光信号を送信するよう構成された任意のシステム、装置またはデバイスを含みうる。たとえば、ノード１１０は、レーザーと、電気信号を受領し、該電気信号に含まれる情報を特定の波長および／または偏光において該レーザーによって生成される光のビーム上に変調し、信号を担持する該ビームをネットワークを通じて伝送するよう構成された変調器とを有していてもよい。ノード１１０はクライアント・カード、波長選択スイッチ、光転送ネットワーク（OTN:  optical  transport  network）スイッチのようなスイッチ、ライン・カード、一つまたは複数のマルチプレクサ、一つまたは複数の増幅器、一つまたは複数の再構成設定可能な光挿入分岐マルチプレクサ（ROADM:  reconfigurable  optical  add/drop  multiplexer）および／または一つまたは複数の受信器を含んでいてもよい。たとえば、ノード１１０は、入来信号１５０の主要成分１５４をネットワーク内の他のノードにルーティングするよう構成されたいかなるシステムまたはデバイスであってもよいスイッチング・デバイス１４０を含んでいてもよい。ノード・コントローラ１３０は、スイッチング・デバイス１４０を指揮し、制御する論理を有していてもよい。
【００２６】
図１に示されるように、ノード１１０は入力信号１５０を受領してもよい。ノード１１０は、入力信号１５０を主要成分１５４および副次成分１５２に分割するよう構成された信号分割器を含んでいてもよい。いくつかの実施形態では、主要成分１５４は光信号のパワーの90〜95%を含んでいてもよく、副次成分１５２は光信号のパワーの5〜10%を含んでいてもよい。他の実施形態では、主要成分１５４は光信号のパワーの95〜99%を含んでいてもよく、副次成分１５２は光信号のパワーの1〜5%を含んでいてもよい。主要成分１５４は、ノード１１０内で、スイッチング・デバイス１４０にルーティングされてもよく、次いでネットワーク１００の他の領域に向かってノード１１０から出るようルーティングされてもよい。副次成分１５２はノード１１０内でOSNRモニタ装置１２０Ａにルーティングされてもよい。
【００２７】
同様にして、ノード１１０は、出力信号１６０を主要成分１６４および副次成分１６２に分割するよう構成された信号分割器を含んでいてもよい。いくつかの実施形態では、主要成分１６４は光信号のパワーの90〜95%を含んでいてもよく、副次成分１６２は光信号のパワーの5〜10%を含んでいてもよい。他の実施形態では、主要成分１６４は光信号のパワーの95〜99%を含んでいてもよく、副次成分１６２は光信号のパワーの1〜5%を含んでいてもよい。主要成分１６４は、ノード１１０の外部に、たとえばネットワークの別のノードにルーティングされてもよい。副次成分１６２はノード１１０内でOSNRモニタ装置１２０Ｂにルーティングされてもよい。OSNRモニタ装置１２０Ａおよび１２０Ｂは別個のコンポーネントとして示されているが、同じ物理的コンポーネントが使われてもよいことは理解されるであろう。たとえば、副次成分１５２および１６２の両方が同じコンポーネントにルーティングされてもよい。いくつかの実施形態では、OSNRモニタ装置１２０Ａおよび１２０Ｂの一方のみが存在していてもよい。たとえば、ノード１１０は入来信号１５０または出て行く信号１６０に対してのみOSNRを測定し補正するのでもよい。さらに、二つのOSNRモニタ装置１２０Ａおよび１２０Ｂが図示されることがあるが、ずっと多くのOSNRモニタ装置がノード１１０に含まれていてもよいことは理解されるであろう。さらに、残りの例は副次成分１５２に言及することがあるが、副次成分１６２が、あるいは多様な光信号の他の任意のものが使用されてもよいことは理解されるであろう。
【００２８】
OSNRモニタ装置１２０Ａおよび１２０Ｂはノード１１０の一部として図示されることがあるが、OSNRモニタ装置はネットワーク１００を通じた多様な位置またはデバイスの任意のものにおいて実装されてもよいことは理解されるであろう。たとえば、決して限定するものではないが、OSNRモニタ装置が一つまたは複数のライン・カードにおいて、スイッチング・デバイスのサブコンポーネントとして、挿入分岐マルチプレクサへのサブコンポーネントとして、あるいはその任意の組み合わせとして組み込まれてもよい。
【００２９】
図２Ａは、光信号対雑音比（OSNR）をモニタリングし、補正するための装置の例示的な実施形態を示している。図２Ａに示されるように、OSNRモニタ装置１２０は光信号２０５を受領してもよい。光信号２０５は、OSNRモニタ装置１２０において光信号２０５を受領するのに先立って、信号モニタ装置２１０によってモニタリングされてもよい。OSNRモニタ装置１２０はモニタリング装置１２１およびコントローラ１２８を含んでいてもよい。モニタリング装置１２１は、さまざまな光信号値を検出し、測定してもよく、それらの値は後述するようにOSNRを決定するために使われてもよい。これらの光信号値はOSNRを測定するためにコントローラ１２８に渡されてもよい。ひとたびOSNRが測定されたら、コントローラ１２８はOSNRの値に補正表を適用してもよい。光信号中のアーチファクトを打ち消すことによってより正確にOSNRを測定するためである。OSNRモニタ装置１２０は、OSNR決定において、帯域内ノイズを測定してもよい。
【００３０】
モニタリング装置１２１は、波長処置装置１２４、偏光処置コンポーネント１２２、干渉計１２５およびパワー計１２６を含んでいてもよい。モニタリング装置１２１の各コンポーネントは、互いと、またコントローラ１２８と通信していてもよく、各コンポーネントは、光信号２０５の何らかの処置、フィルタリングまたは他の処理ありまたはなしで、他の任意のコンポーネントの間で光信号２０５を渡してもよい。たとえば、波長処置装置１２４は光信号２０５の特定の波長をフィルタリングして出し、次いでフィルタリングされた波長を偏光処置装置１２２に渡してもよい。偏光処置装置１２２は、光信号の一つの偏光成分をフィルタリングまたは他の仕方で分離し出し、光信号２０５のフィルタリングされた部分を干渉計１２５に渡してもよい。干渉計１２５は、光信号２０５の遅延または位相シフトを、該光信号のコピーとの増加的または相殺的干渉を達するよう、実行してもよい。次いで、光信号２０５はパワー計１２６に渡されてもよい。パワー計は、干渉計１２５の出力の強さを測定してもよく、その情報をコントローラ１２８に渡してもよい。モニタリング装置１２１のさまざまなコンポーネントについては、下記でより詳細に述べる。
【００３１】
偏光処置装置１２２は、光信号の偏光成分を分離するおよび／または偏光をチューニングするよう動作可能ないかなるシステム、デバイス、回路またはそれらの組み合わせであってもよい。これはたとえば、光信号内の複数の偏光成分から単一の偏光成分を選択する。いくつかの実施形態では、偏光処置装置１２２は、光信号の偏光を回転させる、整列させるまたは固定するよう構成されていてもよい。偏光処置装置１２２は、光信号２０５を二つの別個の片に分割し、一方の片をある仕方で修正し、他方の片を別の仕方で修正するよう構成されていてもよい。たとえば、偏光処置装置１２２は、光信号２０５を、個々にチューニングされ、解析され、OSNRについてモニタリングされうるx偏光およびy偏光成分に分割してもよい。偏光処置装置１２２は、所望されるタスクの任意のものを実行する多様なサブコンポーネントとして実装されてもよい。たとえば、偏光処置装置１２２は、チューニング可能な偏光コントローラ、偏光ビームスプリッター（たとえば固定軸ビームスプリッター）、偏光器（たとえば固定軸偏光器）、偏光スタビライザー（たとえば、固定軸スタビライザー）、チューニング可能なスタビライザーまたは上記のコンポーネントの同じもの二つ以上（たとえば二つのチューニング可能な偏光器）の組み合わせを含めその任意の組み合わせのいずれを有していてもよい。いくつかの実施形態では、モニタリング装置１２１は偏光処置装置１２２を含んでいなくてもよい（このことは、偏光処置装置１２２の破線によって示されている）。そのような実施形態では、光信号は偏光成分を含んでいなくてもよい。あるいはまた、OSNRモニタ装置１２０は、光信号内の種々の偏光成分についての信号対雑音比を平均してもよい。
【００３２】
波長処置装置１２４は、光信号内の複数の波長から単一の波長を選択すること、光信号を遅延させることまたは光信号の位相をシフトさせることのうちの少なくとも一つを実行するよう動作可能な任意のシステム、デバイス、回路またはその組み合わせでありうる。いくつかの実施形態では、波長処置装置１２４は、はいってくる光信号、たとえば光信号２０５を、たとえば遅延および位相シフトのために別個に処理するために、二つの経路に分割してもよい。波長処置装置１２４は所望されるタスクの任意のものを実行する多様なサブコンポーネントとして実装されうる。たとえば、波長処置装置１２４は、光チューニング可能型帯域通過フィルタ、遅延干渉計、1×2波長選択スイッチ（すなわち、一つの入力と二つの出力をもつ波長選択スイッチ）、1×1波長選択スイッチ（すなわち、一つの入力と一つの出力をもつ波長選択スイッチ）または上記のコンポーネントの同じもの二つ以上（たとえば二つの遅延干渉計）の組み合わせを含めその任意の組み合わせのいずれを有していてもよい。
【００３３】
干渉計１２５は、光信号を遅延させ、光信号の位相をシフトさせ、光信号を互いに干渉させるよう動作可能ないかなるシステム、デバイス、回路またはその組み合わせであってもよい。いくつかの実施形態では、干渉計１２５は、はいってくる光信号、たとえば光信号２０５を、たとえば遅延および位相シフトのために別個に処理するために、二つの経路に分割してもよい。干渉計１２５は所望されるタスクの任意のものを実行する多様なサブコンポーネントとして実装されうる。いくつかの実施形態では、干渉計は、位相シフトおよび遅延両方のために可変な部分を有していてもよい。そのような可変な部分は、コントローラ１２８の指揮のもとにあってもよい。干渉計１２５への光信号入力の第一の部分は第一の量だけ遅延され、位相シフトされてもよく、増加的干渉を引き起こすよう該光信号のコピーと干渉させられてもよい。この増加的干渉は干渉計１２５の出力であってもよい。干渉計１２５への光信号入力の第二の部分は前記第一の量だけ遅延され、位相シフトされてもよいが、さらにπラジアン位相シフトされて、相殺的干渉を引き起こすよう、該光信号のコピーと干渉させられてもよい。この相殺的干渉は干渉計１２５の出力であってもよい。遅延および／または位相シフトの量は、コントローラによって、変調フォーマット、帯域幅（たとえばネットワークのスピード）、解析されるべき波長または波長ドリフトを含む多様な因子に基づいて決定されうる。
【００３４】
パワー計１２６は、所与の信号の大きさを測定するよう動作可能ないかなるシステム、デバイス、回路またはその組み合わせであってもよい。たとえば、パワー計１２６は、パワー計１２６に渡される光信号の受光パワーに応じて電流を生成するフォトダイオードであってもよい。OSNRモニタ装置１２０は複数のパワー計１２６を含んでいてもよい。たとえば、OSNRモニタ装置１２０は、各遅延干渉計について二つのパワー計を有していてもよい。
【００３５】
コントローラ１２８は、偏光処置装置１２２、波長処置装置１２４、パワー計１２６、信号モニタ装置２１０またはそれらの組み合わせの任意のものからの受領された入力に基づいてOSNRを計算、決定、測定または補正するよう動作可能ないかなるシステム、デバイス、回路またはその組み合わせであってもよい。コントローラ１２８は、プロセッサ、マイクロプロセッサ、マイクロコントローラ、DSP、ASICまたはコンピュータ可読媒体上に存在する命令を実行するための他の任意のデジタルまたはアナログ回路を含んでいてもよい。コントローラ１２８はまた、コントローラ１２８がその機能を実行するのを助けるための命令の記憶のための、測定されたOSNRに適用される補正表の記憶のための、決定されたもしくは補正されたOSNRまたはノード１１０および／またはOSNRモニタ装置１２０の他のコンポーネントから受領された、OSNRモニタ装置１２０の動作を助けるための入力の記憶のためのコンピュータ可読媒体をも含んでいてもよい。
【００３６】
コントローラ１２８は式(2)に従ってOSNRを計算してもよい。
【数１】
2015133699.tif 000003
この式で、OSNRはデシベル（dB）で測った光信号対雑音比の値であり、集合(s,a)は信号（s）およびノイズ（a）に関連するパワー分布および較正因子であり、P2は増加的干渉から測定されるパワーであり、P1は相殺的干渉から測定されるパワーであり、Bは測定されている光信号の帯域幅であり、Rは測定分解能である。集合(s,a)の値は、光信号に使われる変調方式に依存する定数であってもよく、OSNRモニタ装置のために事前に決定されてもよい。
【００３７】
いくつかの実施形態では、コントローラ１２８は、OSNRモニタ装置１２０の他のコンポーネントへの指令または命令を与えてもよい。たとえば、限定するものではないが、コントローラ１２８は偏光処置装置１２２に、光信号２０５の偏光をある仕方で回転させ、次いで光信号２０５のx偏光成分を選び出すよう指令してもよい。代替的な例解用の例として、コントローラ１２８は、特定の波長以外の光信号２０５のすべてをフィルタ除去するよう波長処置装置１２４に指令してもよい。さらなる例として、コントローラ１２８は、干渉計１２５に、使用されるべき遅延の量および生起すべき位相シフトの量に関して指令してもよい。さらなる例として、コントローラ１２８は、光信号におけるアーチファクトを打ち消すために、測定されたOSNRに補正表１２９を適用してもよい。
【００３８】
アーチファクトは、光信号の扱い、処理またはフィルタリングにおいて導入され、OSNRの誤った測定を引き起こしうるいかなる変動、誤差または変化であってもよい。たとえば、アーチファクトは、通過帯域縮小（narrowing）効果、光フィルタの周波数オフセットおよび送信器の周波数オフセットを含んでいてもよい。通過帯域縮小効果は、光信号がネットワークの複数のスパンまたはセクションを通じて渡されるときに経験されることがある。ネットワークのスパンまたはセクションの間の諸ノードにあるさまざまなハードウェア・コンポーネント（たとえば波長選択スイッチ）において、光信号に対してフィルタリングおよび処理が実行されることがある。光信号が先に渡される前に該ハードウェアにおけるフィルタリングおよび処理においてさまざまな部分が端を外れてクリッピングされるので、時間とともに信号帯域が狭まることがある。これは、OSNRの誤った測定につながりうる。
【００３９】
上記のように、いくつかの実施形態ではチューニング可能な光フィルタが使われることがある。そのようなフィルタは精確でないことがあり、光信号をフィルタリングするときに、たとえば±1ギガヘルツ（GHz）の上下ドリフトを経験することがある。これは、使用されるハードウェア、ネットワークの限界または他の原因のためであることがある。これは、信号が実際に光信号に存在している間、OSNRの測定の間に信号の諸部分がクリッピングされる結果となりうる。これは、光フィルタの周波数オフセットと称され、OSNRの誤った測定につながりうる。
【００４０】
光フィルタの周波数オフセットに加えて、光信号を送る送信器も何らかの不精確またはドリフトを経験することがある。たとえば、送信レーザーが±1GHzだけ波長がドリフトすることがある。これは、送信器の周波数オフセットと称され、やはりOSNRの誤った測定につながりうる。
【００４１】
補正表１２９は、光信号におけるアーチファクトを打ち消すために使われるべく生成されてもよい。コントローラ１２８は、補正表１２９を生成するよう構成されていてもよい。補正表１２９は、測定されたOSNRにおけるアーチファクトによって導入された誤差の一つまたは複数の補正関数を含んでいてもよい。たとえば、既知のOSNRをもつ光信号が、特定の一つまたは複数のアーチファクトを経験していることがわかっているOSNRモニタに導入されてもよい。既知のOSNRと測定された値との間の差が、所与のOSNR値における補正関数を生成するために使用されてもよい。これは、OSNRの複数の値について繰り返されてもよく、中間点は補間されて、特定の一つまたは複数のアーチファクトによって導入される誤差の補正関数を生成してもよい。いくつかの状況では、アーチファクトは測定されたOSNRに非線形誤差を引き起こすことがある。たとえば、いくつかのアーチファクトは、OSNRの低い値（たとえば15dBより下）および／または高い値（たとえば25dBより上）においてより大きな誤差を引き起こすことがある。アーチファクトによって導入される誤差の補正関数を生成することによって、この非線形性も対処されることができ、該アーチファクトによって導入されるいかなる誤差も打ち消されうる。さらに、これは、たとえば5dBから35dBまでの間の広い範囲の値についてOSNRの精確な測定を許容しうる。この範囲の両端は増大したアーチファクト効果をもつことがある。低い値では、信号およびノイズはより密接に関係しており、高い値では、信号がノイズに対して優勢となり、正確な測定を難しくするからである。
【００４２】
生成されたのち、補正関数は補正表１２９の一部として、コントローラ１２８によってアクセス可能なコンピュータ可読媒体に記憶されてもよい。いくつかの実施形態では、補正表１２９が生成され、次いでネットワークを通じたさまざまな他のOSNRモニタに配布されてもよい。いくつかの実施形態では、補正表１２９を生成するために使われたOSNRモニタは、能動的に使用されるネットワークに取り付けられていなくてもよく、実験室または他の制御された環境において生成されてもよい。
【００４３】
補正表１２９は、測定されたOSNRが実際のOSNR値のある精度範囲内になるよう、測定されたOSNR内の誤差を打ち消しうる。たとえば、アーチファクトによって導入された任意の誤差は、測定されたOSNRが実際のOSNRの1dB以内、実際のOSNRの0.5dB以内、実際のOSNRの0.25dB以内になるよう打ち消されてもよいし、あるいは測定されたOSNRと実際のOSNR値との間に無視できるまたは検出できない差があるよう打ち消されてもよい。
【００４４】
信号モニタ装置２１０は、OSNRモニタ装置１２０においてモニタリングされる光信号をモニタリングするよう動作可能ないかなるシステム、デバイス、回路またはその組み合わせであってもよい。たとえば、信号モニタ装置２１０は、変調フォーマット、帯域幅（たとえばネットワーク・トラフィックの速度）、解析されるべき波長、当該光信号が通過してきたネットワークのセクションの数および光学的または波長ドリフト（たとえば、温度変動またはレーザー誤差によって引き起こされるもの）をモニタリングするよう動作可能であってもよい。信号モニタ装置２１０は、信号モニタ装置２１０によって得られた情報の任意のものまたは全部を提供するよう、コントローラ１２８と通信していてもよい。この情報は、OSNRモニタ装置１２０のさまざまなコンポーネントの制御において、光信号のOSNRの決定において、あるいは測定されたOSNRの補正において、コントローラ１２８を支援しうる。たとえば、コントローラ１２８は、信号の変調フォーマットに基づいて干渉計１２５の位相シフトを修正してもよいし、あるいはネットワークの速度に基づいて遅延の量を修正してもよい。
【００４５】
信号モニタ装置２１０は、単に信号を通過させる、入来信号に対する受動的モニタとして示されることがあるが、信号モニタ装置２１０が、所望される特性を測定または監視するために光信号の一部を取る分割器（たとえば3dB分割器）を含んでいてもよいことは理解されるであろう。これは、光信号のその一部を終端してもよく、信号の他の部分をOSNRモニタ装置１２０に渡してもよい。あるいはまた、そのようなモニタリングはノード１１０内の他所またはネットワーク内の他所で行なわれてもよく、所望される特性（たとえば帯域幅）に関する任意の所望される情報がOSNRモニタ装置１２０に送られてもよいことは理解されるであろう。さらに、OSNRモニタ装置１２０の前に位置するように示されているが、信号モニタ装置２１０はOSNRモニタ装置１２０の一体的な部分であってもよい。たとえば、信号モニタ装置２１０は、波長処置装置１２４と偏光処置装置１２２の間に位置していてもよい。
【００４６】
信号モニタ装置２１０によって集められた情報は、測定されたOSNRを補正することにおいて有益でありうる。たとえば、モニタ装置２１０はある種の型のアーチファクト、モニタリングされる光信号の帯域幅、モニタリングされる信号のパワー、信号が通ってきたネットワークのスパンの数、送信器の周波数ドリフトまたは変調方式を検出してもよい。コントローラ１２８は、信号モニタ装置２１０によって検出される上記の異なるパラメータの任意のものについて異なる補正関数を利用してもよい。
【００４７】
いくつかの実施形態では、補正関数は特定の型のアーチファクトに好適であることがある。たとえば、通過帯域縮小に関連する補正関数が生成されてもよい；光フィルタの周波数オフセットに関連する補正関数が生成されてもよい；送信器の周波数オフセットに関連する補正関数が生成されてもよい；上記の任意の組み合わせに関連する補正関数が生成されてもよい。信号モニタ装置２１０がある種のアーチファクトまたはある種の組み合わせのアーチファクトを検出する場合、検出されたアーチファクトを打ち消す、補正表１２９の特定の補正関数が使用されてもよい。
【００４８】
信号モニタ装置２１０によって検出されたパラメータに対応する補正表１２９の特定の補正関数に加えて、パワー分布および較正因子(s,a)の二つ以上の可能な値が補正表１２９に含まれていてもよい。(s,a)の値は、各変調方式（たとえば、QPSK、DP-QPSK、m-PSKなど）について決定されてもよく、補正表１２９の一部として含められてもよい。(s,a)の値は、OSNRをより正確に検出するよう選択されてもよい。いくつかの実施形態では、変調固有の(s,a)を使ったのち、アーチファクト固有の補正関数が使用されてもよい。アーチファクト固有の補正関数に加えて、変調固有の(s,a)値が補正表１２９の他のパラメータ固有補正関数、たとえば通過したネットワーク・スパンの数、帯域幅、信号のパワーなどに基づく補正関数と結合されてもよいことは理解されるであろう。
【００４９】
図２Ａは偏光処置装置１２２、波長処置装置１２４、干渉計１２５、パワー計１２６およびコントローラ１２８を特定の順序で示しているが、この順序は変更または修正されてもよく、あるいはさまざまな要素のサブコンポーネントが配置し直されてもよいことは理解されるであろう。たとえば、波長処置１２４のあるサブコンポーネントが偏光処置装置１２２の前に位置されてもよく、波長処置装置１２４のさらなるサブコンポーネントが偏光処置装置１２２のあとに位置されてもよい。
【００５０】
図２Ａに示したようなOSNRモニタ装置１２０を使うことによって、OSNRのリアルタイム計算が達成されうる。たとえば、信号１５０がノード１１０にはいり、スイッチング・デバイス１４０によって扱われる際、OSNRモニタ装置１２０はスイッチング・デバイス１４０によってルーティングされ、扱われる光信号についてOSNRを決定しつつあることがある。扱うこととOSNRの決定とのタイミングには、扱い、ルーティングする時間と処理し、計算する時間が違うため、軽微な変動がありうるが、前記決定は、本質的にはリアルタイムで行なわれうる。
【００５１】
図２Ｂは、OSNRモニタ装置１２０の代替的な実施形態を示している。図２Ｂに示されるように、干渉計１２５を使うのではなく、OSNRモニタ装置１２０は、図２Ａの干渉計１２５の機能をも実行する波長処置装置１２４の特定の形を利用してもよい。たとえば、いくつかの実施形態では、上記のように、波長処置装置１２４が、波長フィルタリング、遅延、位相シフトまたは信号を互いと干渉させることまたはそれらの任意の組み合わせを実行するよう構成されていてもよい波長選択スイッチを含んでいてもよい。
【００５２】
図２Ｂに示されるOSNRモニタ装置１２０は、図２Ａに示されるOSNRモニタ装置１２０と同じ仕方で補正表１２９を利用してもよい。たとえば、コントローラ１２８は、パワー計１２６によって出力される値を使ってOSNRを測定してもよく、次いで、補正表１２９を適用して光信号中のアーチファクトを打ち消してもよい。唯一の相違は、どのようにOSNRが測定されるかにあってもよく、これはどのアーチファクトが導入されうるかを変えてもよい。
【００５３】
いくつかの実施形態では、OSNRモニタ装置１２０は、干渉計式モニタリングの原理で動作してもよい。そのような原理の記述は、ここに参照によってその全体において組み込まれる米国特許出願第12/181,613号に見出されうる。決して限定ではなく例解用の例として、以下の議論が遅延干渉計の動作のある実施形態を記述しうる。下記のように、遅延干渉計は、波長処置装置１２４の少なくとも一部として実装されてもよい。
【００５４】
遅延干渉計は、受領した光信号を二つの光路に分割してもよい。次いで、遅延干渉計は分割された光信号がそれら異なる光路を通じて供給されるようにし、二つの光路の間の差を使ってそれらの信号が互いに干渉するようにしてもよい。それらの信号は次いで出力され、一つまたは複数のパワー計１２６において測定されてもよい。遅延干渉計の例はマッハ・ツェンダー（MZ）干渉計を含む。
【００５５】
パワー計１２６は、フォトダイオードとして実装されてもよい。フォトダイオードは、入力光信号の受光パワーに応じた電流を生成する。たとえば、二つのパワー計１２６が、遅延干渉計から供給された光信号の受光パワーに応じた電流を生成してもよく、それにより光信号の存在または不在および光信号の強度を決定し、光信号を得てもよい。換言すれば、前記データ変調光信号の、コヒーレント光である成分または位相変調にかけられなかった光信号の成分が、パワー計１２６の一つに主として出力されてもよく、非コヒーレント光であるノイズ成分はパワー計１２６の両方に出力される。いくつかの実施形態では、信号光の成分は主として第二のパワー計１２６によって受領され、ノイズ成分は第一および第二のパワー計１２６両方によって受領されることを注意しておく。すなわち、第二のパワー計１２６の受光パワーは、第一のパワー計１２６の受光パワーより大きい。特に、パワー計１２６は、遅延干渉計から出力された二つの光信号の光パワーに応じて電流を出力してもよい。これらの測定された光パワーは、二つのパワー計１２６によって受領された光信号の「P1（mW）およびP2（mW）」によって表わされてもよい。いくつかの実施形態では、これらの値は、パワー計１２６における読みを平均することによって達成されてもよい。これらの値は、信号のOSNRを計算または決定するのを助けるために、コントローラ１２８に渡されてもよい。
【００５６】
波長処置装置１２４の一部は解析されるべき波長の特定の帯域幅を選択してもよい。いくつかの実装では、波長処置装置１２４のこの部分は、偏光処置装置１２２の前に現われてもよい。たとえば、光信号における特定のチャネルが選択されてもよく、光信号の残りがフィルタ除去されてもよい。波長処置装置１２４において設定されているこの帯域幅「B（nm）」は、その帯域幅における信号のOSNRを計算または決定するのを助けるために、コントローラ１２８に渡されてもよい。用語「帯域幅」が使われることがあるが、これは光信号の波長のより広い範囲内における特定の波長範囲を指しうることは理解されるであろう。たとえば、「帯域幅」は、全光スペクトル内の0.1nmの波長の帯域を指してもよい。代替的に、用語「帯域幅」の代わりに、波長という用語が、解析されるべき波長の特定の帯域を指すために使われることがある。波長という用語が使われることがあるが、これは指定された波長のまわりまたは近くの波長の範囲を指しうることは理解されるであろう。単位nmに加えて、BはGHzの対応する単位で言及されることもある。いくつかの実施形態では、Bの値は光信号のチャネル間隔より小さい。たとえば、チャネル間隔が50GHzに制限される場合、Bの値は50GHzより小さくてもよい。
【００５７】
コントローラ１２８は、波長処置装置１２４からの帯域幅「B（nm）」およびパワー計１２６からの光パワー「P1（mW）およびP2（mW）」を、OSNRを計算するために、0.1nm帯域についての式(3)において利用してもよい。
【００５８】
OSNR[dB]＝10×log（P2−P1）−10log（2×P1×(0.1/B)）        (3)
あるいはまた、決して限定ではないもう一つの例解用の例として、以下の議論は遅延干渉計の動作のもう一つの実施形態を記述しうる。
【００５９】
コントローラ１２８は遅延干渉計に含まれる遅延回路の遅延時間を制御しうる。たとえば、ユーザーが遅延時間を入力してもよく、入力遅延時間が遅延回路に送られてもよい。
【００６０】
遅延干渉計は、信号を二つの信号に分割し、それらの信号のうち所定の時間長さだけ遅延された一方をそれらの信号のうち遅延されていない他方と干渉させ、それらの信号をパワー計１２６に出力し、それらのパワー計１２６が受領された光の強度に基づいて電流を出力する。たとえば、遅延干渉計は光信号を、二つの光路に供給されるよう二つの信号に分割してもよい。次いで、遅延干渉計は、第一の光路の光信号を「τ」秒遅延させてもよく、次いでそれらの光路の光信号を互いと干渉させ、それらの光信号をパワー計１２６に出力してもよい。遅延干渉計は、二つの光路の光学的位相の間の差が「π」ラジアンに対応するときに第一の電流が第一のパワー計１２６に供給され、前記差が「0」ラジアンに対応するときに第二の電流が第二のパワー計１２６に供給されるように動作してもよい。
【００６１】
値「τ」が「0（秒）」に等しいとき、第二のパワー計１２６のみに実質的に電流が供給される。二つの光路の間で光学的位相差が生じないからである。「τ」の値を増すとき、先行するビットに対して光学的位相差が「π」に対応するレートが増大されてもよく、よって第一のパワー計１２６に供給される電流が増大されてもよい。他方、値「τ」が「1ビット（秒）」に等しいことがありうるとき、すなわち、100%の遅延時間においては、第一および第二のパワー計１２６に供給される電流は実質的に互いに等しくなりうる。
【００６２】
二つの光路の間の遅延量「τ」が「1ビット（秒）」に対応するとき、および二つの光路の間の光学的位相差が「π」に対応するとき、同量の電流がそれらのパワー計１２６に供給されてもよい。すなわち、第一の光路の出力位相と第二の光路の出力位相が互いから「1ビット（秒）」シフトされるとき、同量の電流が二つのパワー計１２６に供給されうる。他方、二つの光路の間の遅延量「τ」が「0」より大きく「1」より小さいとき、たとえば遅延量「τ」が「0.75ビット（秒）」であるとき、すなわち、二つの光路の間のシンボル間位相差が「0.75ビット（秒）」であるとき、第二のパワー計１２６に供給される電流の量は第一のパワー計１２６に供給される電流の量より大きくてもよい。すなわち、第一の光路の出力シンボル位相が第二の光路の出力シンボル位相に対して「0.75ビット（秒）」だけシフトされているとき、第二のパワー計１２６に供給される電流の量は第一のパワー計１２６に供給される電流の量より大きくてもよい。
【００６３】
すなわち、二つの光路の間の遅延量「τ」が「1ビット（秒）」から「0ビット（秒）」シフトされうる際は、第二のパワー計１２６に供給される電流の量は、第一のパワー計１２６に供給される電流の量より大きくなってもよく、二つの光路の間の遅延量「τ」が「0ビット（秒）」になるときは、電流は第二のパワー計１２６にのみ供給されうる。二つの光路の間の光学的位相差が生じないからである。よって、信号光において、二つのパワー計１２６に供給される電流の量は遅延量「τ」および二つの光路の間の光学的位相差に依存してもよい。いくつかの実施形態では、位相シフトは、遅延干渉計における光路の少なくとも一つに沿って行なわれてもよい。
【００６４】
遅延干渉計の遅延時間は、ノイズの干渉が起こらないような遅延時間差が得られるよう設定されてもよい。すなわち、光学信号はコヒーレンスをもつので、二つの光路の光信号は遅延干渉計において互いに干渉する。よって、干渉の状態に応じて、二つのパワー計１２６の光レベルの間の差が生成されうる。しかしながら、ノイズはコヒーレンスをもたないので、二つのパワー計１２６は実質的に同じ光レベルをもつノイズを受領する。換言すれば、ノイズ光はどちらのパワー計１２６でも実質的に同じ光レベルをもち得、信号光は遅延干渉計の干渉状態に応じて二つのパワー計１２６によって検出される異なるベルをもちうる。
【００６５】
上記のように、二つのパワー計１２６において測定されるパワーは、二つの光路AおよびBの間の遅延量「τ」（すなわち、1ビット時間についての遅延時間のレート）および光学的位相差に依存することがある。他方、ノイズ光は位相情報およびコヒーレンスをもたないので、ノイズ光は遅延量「τ」には依存しなくてもよく、二つの光路に供給される電流は互いに等しくなりうる。よって、「遅延量τが1ビット（秒）以下であるときは二つのパワー計に供給される電流の量が互いに異なりうる」および「ノイズは遅延量τに依存せず、二つのパワー計に供給される電流の量は互いに等しくなりうる」ことを表わす差動位相偏移変調法の特性が、OSNR計算（測定）のために使用される。
【００６６】
たとえば、光検出器、二つのパワー計１２６によって受領されるノイズは、1ビット時間についての遅延時間のレート「t」が「0」に等しい場合を除いて、遅延時間に関わりなく「0.5」に固定されてもよい。他方、二つのパワー計１２６によって受領される位相変調信号光ビームについては、1ビット時間に対する遅延時間のレート「t」が「0」から「1」に増加させられる際、第二のパワー計１２６の受光パワーはより小さくなることがあり（パワー計１２６に供給される電流が低下する）、第一のパワー計１２６の受光パワーはより大きくなる（第二のパワー計１２６に供給される電流が増大する）。結果として、レート「t」が「1」に対応するとき、二つのパワー計１２６の受光パワーは互いに等しい、すなわち「0.5」である。よって、二つのパワー計１２６によって受領される光パワーが「P1（mW）およびP2（mW）」で表わされ、光信号パワーは「Psig（mW）」で表わされてもよく、ノイズ全パワーは「Pnoise（mW）」で表わされてもよいとき、下記の式(4)および(5)が満たされてもよい。
【００６７】
P1＝0.5×t×Psig＋0.5×Pnoise        (4)
P2＝(1−0.5×t)×Psig＋0.5×Pnoise        (5)
「t」は一ビット時間についての遅延時間のレートを表わし、よって、光信号パワーPsigが式(4)および(5)を使って計算されるとき、式(6)が満たされることを注意しておく。さらに、式(7)によれば、ノイズ・パワーPnoiseは式(8)によって表わされる。
【００６８】
Psig＝(P2−P1)／(1−t)        (6)
P1＋P2＝Psig＋Pnoise        (7)
Pnoise＝P1＋P2−Psig＝P1＋P2−(P2−P1)／(1−t)        (8)
式(8)に含まれるノイズの帯域が「B（nm）」に設定され、「0.1nm」帯域のノイズ・パワーが計算される（「Pnoise,0.1nm」）とき、式(9)が得られる。さらに、式(1)、(6)および(9)によれば、OSNRは式(10)を使って計算されうる。
【数２】
2015133699.tif 000004
【００６９】
波長処置モジュール１２４は解析されうる帯域幅帯域「B」を決定してもよく、この値を、OSNRの決定を容易にするようコントローラ１２８に供給してもよい。遅延干渉計は光信号を二つの光路に供給されるよう二つの信号に分割してもよく、第一の光路に供給される信号を、所定の遅延時間量だけ遅延させてもよい。いくつかの実施形態では、この時間はコントローラ１２８によって決定されてもよい。次いで、遅延干渉計は二つの光路からの信号出力を互いと干渉させてもよく、それらの信号を二つのパワー計１２６に出力する。次いで、遅延時間「τ（秒）」が、OSNR計算を容易にするためにコントローラ１２８に送られてもよい。
【００７０】
コントローラ１２８は、たとえば式(11)による遅延時間「τ（秒）」を使ったレート「t」の計算を容易にするよう、記憶されているシンボル・レート「F（bps）」を使ってもよい。
【００７１】
t＝τ／(1/F)＝τ×F        (11)
パワー・モニタ１２６は、上記のように「P1」および「P2」を決定してもよく、これらの値をコントローラ１２８に供給してもよい。コントローラ１２８は、式(1)に上記のように受領された帯域幅「B（nm）」、遅延時間量「τ（秒）」、光パワー「P1（mW）およびP2（mW）」および一ビット時間についての遅延時間のレート「t」を利用して、それによりOSNRを測定してもよい。その後、コントローラ１２８は計算されたOSNRを記憶してもよく、あるいは測定されたOSNRを管理装置などに出力してもよい。
【００７２】
図３〜図１１Ｂは、光信号が複数の偏光成分を含む状況においてOSNRを測定し、補正表を適用する装置のさまざまな代替的な実施形態を示している。図のいくつかで略記されているBPFは帯域通過フィルタ（band-pass  filter）を指してもよく、Dは遅延（delay）を指してもよく、PSは位相シフト（phase  shifting）を起こしうる遅延干渉計のサブコンポーネントを指してもよい。図２Ａおよび２Ｂのコントローラ１２８の機能は、図３〜図１１Ｂのデータ・プロセッサおよび制御回路の間で分散されてもよく、あるいは単一の中央集中化されたコンポーネント、たとえば図２Ａおよび２Ｂのコントローラ１２８によって実行されてもよい。
【００７３】
図３は、OSNRモニタ装置３００を示している。OSNRモニタ装置３００は、前記波長処置装置として、チューニング可能な光帯域通過フィルタ〔光チューニング可能帯域通過フィルタ〕３１０を有していてもよい。OSNRモニタ装置３００はまた、前記偏光処置コンポーネントとして、チューニング可能偏光コントローラ３２０および偏光ビームスプリッター３３０を有していてもよい。OSNRモニタ装置３００はさらに、パワー計３５０ａ〜３５０ｄを有していてもよい。OSNRモニタ装置３００はまた、前記コントローラとして、データ・プロセッサ３６０および制御回路３７０を有していてもよい。
【００７４】
光チューニング可能帯域通過フィルタ（BPF）３１０は、複数の波長から特定の波長を分離するよう構成されたいかなる装置、システムまたは回路であってもよい。たとえば、光チューニング可能BPF  ３１０は、光信号の波長の特定の範囲のみに、光チューニング可能BPF  ３１０を通過することを許容するよう構成されていてもよい。この範囲は、光信号の0.1nm帯域であってもよい。いくつかの実施形態では、光チューニング可能BPF  ３１０は、制御回路３７０と通信上結合されていてもよく、光チューニング可能BPF  ３１０を通過することを許容する波長の所望される範囲に関して、制御回路３７０から命令を受領してもよい。光チューニング可能BPF  ３１０は入来光信号、たとえば光信号３０５を受領してもよい。光チューニング可能BPF  ３１０は次いで、光信号３０５から特定の波長を分離してもよく、次いでそのフィルタリングされた光信号をチューニング可能偏光コントローラ３２０に渡してもよい。
【００７５】
チューニング可能偏光コントローラ３２０は、受領された光信号のx偏光およびy偏光成分を調整するよう構成されていてもよい。そのような調整は、x偏光およびy偏光成分の偏光シフトを含んでいてもよい。さらに、チューニング可能偏光コントローラ３２０は、偏光ビームスプリッター３３０の配向と整列するようそのような成分を調整するよう構成されていてもよい。チューニング可能偏光コントローラ３２０は、たとえば任意の装置、システムまたは回路によって、そのような調整を実行するいかなる好適な仕方で実装されてもよい。チューニング可能偏光コントローラ３２０は、制御回路３７０に通信上結合されていてもよい。制御回路３７０は、チューニング可能偏光コントローラ３２０の動作を調整するよう構成されていてもよい。そのような調整は、たとえば、入力信号、チューニング可能偏光コントローラ３２０の検出された出力または偏光ビームスプリッター３３０の配向の性質または種類に基づいていてもよい。
【００７６】
偏光ビームスプリッター３３０は、入力信号を二つの固定軸に従って分割するよう構成されていてもよい。たとえば、光信号３０５はx偏光成分およびy偏光成分を含んでいてもよく、これらの成分が偏光ビームスプリッター３３０の固定軸と整列される場合、これらの成分は分離されうる。このように、偏光ビームスプリッター３３０は、光信号３０５のx偏光成分を出力し、光信号３０５のy偏光成分を出力するよう構成されていてもよい。偏光ビームスプリッター３３０は、独立した経路またはチャネルに沿って各偏光を出力するよう構成されていてもよい。たとえば、x偏光成分は遅延干渉計３４０ａに与えられてもよく、y偏光成分は遅延干渉計３４０ｂに与えられてもよい。偏光ビームスプリッター３３０は、その入力信号をx偏光およびy偏光成分に分割するいかなる好適な仕方で実装されてもよい。偏光ビームスプリッター３３０は、出力がx偏光およびy偏光に関して固定した軸を有するよう構成されてもよい。このように、チューニング可能偏光コントローラ３２０は、偏光ビームスプリッター３３０の固定軸がx偏光およびy偏光成分を適切に分離しうるよう、受領された光信号の偏光を整列させうる。
【００７７】
遅延干渉計３４０は、OSNRが決定されうるよう、分離された光信号の二つの経路における差を引き起こすよう構成されたいかなるシステムまたは装置として実装されてもよい。たとえば、遅延干渉計３４０ａおよび３４０ｂは、一方または両方の経路に、遅延または位相シフトの一方をさせてもよい。遅延干渉計３４０ａおよび３４０ｂは、OSNRの計算または決定に関して上記のように動作してもよい。遅延干渉計３４０ａおよび３４０ｂは制御回路３７０と通信上結合されていてもよい。制御回路３７０は遅延干渉計３４０ａおよび３４０ｂに命令または指令を与えてもよい。たとえば、制御回路３７０は、遅延干渉計３４０ａおよび３４０ｂに、遅延時間の長さ「τ」または所望される位相シフト量に関して命令してもよい。遅延干渉計３４０ａおよび３４０ｂは、上記のように、その出力を、パワー計３５０ａ〜３５０ｄに与えてもよい。
【００７８】
いくつかの実施形態では、パワー計３５０ｂおよび３５０ｄは省略されてもよい。そのような実施形態では、パワー計３５０ａはまず、光信号のある波長および偏光成分のP1（たとえば増加的干渉）を測定してもよい。遅延干渉計３４０ａの位相シフト・コンポーネントは次いで離調され、次いでP2（たとえば相殺的干渉）が測定されうるよう位相シフトにπを加えたものを含むよう再チューニングされてもよい。それらを別個に測定することにより、一つのパワー計３５０ａだけが干渉計３４０ａについて必要とされうる。同様に、光信号の代替的な偏光成分を扱っていてもよい干渉計３４０ｂは一つのパワー計３５０ｃを必要とするだけでありうる。
【００７９】
データ・プロセッサ３６０は、遅延干渉計３４０ａについての少なくともパワー計３５０ａおよび３５０ｂから受領される入力に基づいてOSNRを計算または決定し、遅延干渉計３４０ｂについての少なくともパワー計３５０ｃおよび３５０ｄから受領される入力に基づいてOSNRを決定するよう構成されていてもよい。いくつかの実施形態では、データ・プロセッサ３６０は制御回路３７０、光チューニング可能BPF  ３１０、遅延干渉計３４０ａおよび／または３４０ｂ、パワー計３５０ａ〜３５０ｂまたはそれらの任意の組み合わせから入力を受領してもよい。たとえば、データ・プロセッサ３６０は、遅延干渉計３４０ａおよび３４０ｂについての出力の対のそれぞれについて、「B」「t」「P1」「P2」に関する情報を受領してもよい。このようにして、データ・プロセッサ３６０は、偏光ビームスプリッター３３０の両方の出力についてOSNRを同時にまたは本質的に同時に計算してもよい。データ・プロセッサ３６０は、データ・プロセッサ３６０がOSNRを決定できるようにするいかなるシステム、装置、回路またはコンポーネントとして実装されてもよい。たとえば、データ・プロセッサ３６０は、プロセッサ、マイクロプロセッサ、マイクロコントローラ、ASICまたはFPGAとして実装されてもよい。データ・プロセッサ３６０は、付随するコンピュータ可読媒体をも有していてもよい。いくつかの実施形態では、データ・プロセッサ３６０は、制御回路３７０に計算されたOSNRを提供してもよい。いくつかの実施形態では、制御回路３７０およびデータ・プロセッサ３６０は同じ物理的コンポーネントとして実装されてもよい。
【００８０】
ひとたびデータ・プロセッサ３６０が測定されたOSNRを計算したら、データ・プロセッサ３６０は次いでデータ・プロセッサ３６０に付随するコンピュータ可読媒体（たとえば、制御回路３７０の一部であるコンピュータ可読媒体またはデータ・プロセッサ３６０専用のコンピュータ可読媒体）から補正表を読み込んで、アーチファクトを軽減するよう該補正表を測定されたOSNRに適用してもよい。OSNR中のアーチファクトを打ち消すことによって、データ・プロセッサ３６０はOSNRの補正値に到達しうる。たとえば、所与のアーチファクトをもつ測定されたOSNRについて、補正表中の特定の値が測定されたOSNRに適用されて、補正されたOSNRに到達してもよい。これは、OSNRの測定値に乗算される因子あるいは測定されたOSNR値を適用すべき関数であってもよい。次いで、データ・プロセッサ３６０は補正されたOSNR値を制御回路３７０に報告してもよく、制御回路３７０および／またはデータ・プロセッサ３６０が補正されたOSNR値を記憶してもよい。
【００８１】
制御回路３７０は、光チューニング可能BPF  ３１０、チューニング可能偏光コントローラ３２０および遅延干渉計３４０ａおよび３４０ｂの少なくとも一つに命令を与えるよう構成されていてもよい。制御回路３７０は、プロセッサ、マイクロプロセッサ、マイクロコントローラ、ASICまたはFPGAとして実装されてもよい。いくつかの実施形態では、制御回路３７０は、付随するコンピュータ可読媒体をも有していてもよい。
【００８２】
図３に示される実施形態を使うと、OSNRは、光信号のx偏光およびy偏光成分について別個にかつ独立に決定されうる。さらに、これらは本質的に同時にかつ本質的にリアルタイムで決定されうる。また、初期の測定されたOSNR値がアーチファクトを打ち消すよう補正されうる。その結果、より正確なOSNR報告となる。
【００８３】
図４は、OSNRモニタ装置４００の代替的な実施形態を示している。OSNRモニタ装置４００は、前記波長処置装置として、光チューニング可能BPF  ４１０を有していてもよい。OSNRモニタ装置４００は、前記偏光処置コンポーネントとして、チューニング可能偏光コントローラ４２０および偏光子４３０を有していてもよい。OSNRモニタ装置４００はまた、干渉計１２５として、遅延干渉計４４０を有していてもよい。OSNRモニタ装置４００は、前記コントローラとして、データ・プロセッサ４６０および制御回路４７０を有していてもよい。OSNRモニタ装置４００はまた、パワー計４５０ａおよび４５０ｂをも含んでいてもよい。
【００８４】
OSNRモニタ装置４００は入来光信号、たとえば光信号４０５を受領してもよい。光チューニング可能BPF  ４１０は、光チューニング可能BPF  ３１０に関して上記したように入来信号を処理してもよい。信号は次いで、チューニング可能偏光コントローラ４２０に渡されてもよい。チューニング可能偏光コントローラ４２０は、上記のチューニング可能偏光コントローラ３２０と同様の仕方で動作してもよい。しかしながら、チューニング可能偏光コントローラ４２０は、最初、光信号のx偏光成分がまず偏光子４３０と整列されるようその出力をチューニングしてもよく、次いで光信号のy偏光成分が偏光子４３０と整列されるようチューニングされてもよい。
【００８５】
偏光子４３０は、特定の偏光軸以外のいかなる偏光した信号もフィルタ除去するよう構成されていてもよい。たとえば、光信号４０５はx偏光成分およびy偏光成分を含んでいてもよい。光信号４０５がある方向に配向されるとき、偏光子４３０は光信号４０５のx偏光成分を出力してもよい。光信号４０５が（たとえば90度回転された）別の方向に配向されるとき、偏光子４３０は光信号４０５のy偏光成分を出力してもよい。偏光子４３０は、フィルタリングされた光信号を遅延干渉計４４０に出力するよう構成されていてもよい。偏光子４３０は、偏光子４３０の特定の軸以外のいかなる偏光した光もフィルタ除去するよういかなる好適な仕方で実装されてもよい。このような点で、偏光子４３０は、固定した軸をもつと言われてもよい。いくつかの実施形態では、チューニング可能偏光コントローラ４２０は、x偏光成分が偏光子４３０において選択されうるよう光信号を配向させてもよい。その場合、チューニング可能偏光コントローラ４２０は、偏光子４３０においてy偏光成分が選択されうるよう光信号を配向させるよう、修正されてもよい。
【００８６】
遅延干渉計４４０は、遅延干渉計３４０ａおよび３４０ｂに関して上記したように実装されてもよい。パワー計４５０ａおよび４５０ｂは、パワー計３５０ａ〜３５０ｄに関して上記したように実装されてもよい。
【００８７】
データ・プロセッサ４６０は、測定されたOSNRに補正表を適用することも含め、データ・プロセッサ３６０に関して上記したように実装されてもよい。制御回路４７０は、制御回路３７０に関して上記したように実装されてもよい。しかしながら、制御回路４７０は、ある偏光成分についてのOSNRが決定されたのち、別の偏光成分についてOSNRが決定されうるよう、チューニング可能偏光コントローラ４２０に光信号を配向し直させるよう構成されていてもよい。たとえば、制御回路４７０は、偏光子４３０がx偏光成分を分離してそのOSNRが決定されうるようにするよう、光信号を配向させるようチューニング可能偏光コントローラ４２０に指令してもよい。ひとたび制御回路４７０がデータ・プロセッサ４６０からx偏光成分についてのOSNRを受け取ったら、制御回路４７０は、光信号のy偏光成分が偏光子４３０において選択されうるよう、光信号を配向させ直すようチューニング可能偏光コントローラ４２０に指令してもよい。x偏光およびy偏光成分についてのOSNRはデータ・プロセッサ４６０によって独立して補正されてもよい。
【００８８】
上記のように、いくつかの実施形態では、パワー計の数は、まず光信号のある波長および偏光成分のP1（たとえば増加的干渉）を測定し、次いで信号が位相シフトにπを加えたものとなるよう位相シフト・コンポーネントをチューニングし直して、次いでP2（たとえば相殺的干渉）を測定することによって、半分に減らすことができる。
【００８９】
図４に示した実施形態を使うと、OSNRは光信号のx偏光およびy偏光成分について別個にかつ独立して決定されうる。これらの偏光についてのOSNRはたとえば、まずx偏光成分についてのOSNRを決定し、次いでy偏光成分についてOSNRを選択および決定するようチューニング可能偏光コントローラ４２０を配向させ直すことによって、逐次的に決定されてもよい。
【００９０】
図５は、OSNRモニタ装置５００の代替的な実施形態を示している。OSNRモニタ装置５００は、前記波長処置装置として、光チューニング可能BPF  ５１０を有していてもよい。OSNRモニタ装置５００は、前記偏光処置コンポーネントとして、偏光スタビライザー５２０および偏光ビームスプリッター５３０を有していてもよい。OSNRモニタ装置５００はまた、干渉計１２５として、遅延干渉計５４０ａおよび５４０ｂを有していてもよい。OSNRモニタ装置５００は、前記コントローラとして、データ・プロセッサ５６０および制御回路５７０を有していてもよい。OSNRモニタ装置５００はまた、パワー計５５０ａ〜５５０ｄをも含んでいてもよい。
【００９１】
OSNRモニタ装置５００は入来光信号、たとえば光信号５０５を受領してもよい。光チューニング可能BPF  ５１０は、光チューニング可能BPF  ３１０に関して上記したように入来信号を処理してもよい。信号は次いで、偏光スタビライザー５２０に渡されてもよい。
【００９２】
偏光スタビライザー５２０は、光信号の偏光の配向を、特定の一組の固定した軸に安定化するよう構成されていてもよい。そのような安定化は、x偏光およびy偏光成分の偏光シフトを含んでいてもよい。さらに、偏光スタビライザー５２０は、偏光スタビライザーの出力が偏光ビームスプリッター５３０の固定軸と整列され、それにより光信号のx偏光およびy偏光成分が偏光ビームスプリッター５３０において適切に分離されうるよう配向されていてもよい。偏光スタビライザー５２０は、たとえば任意の装置、システムまたはアナログもしくはデジタル回路によって、そのような調整を実行するいかなる好適な仕方で実装されてもよい。偏光スタビライザー５２０はまた、光信号の偏光の安定化を容易にする論理または他の処理機能をも含んでいてもよい。偏光スタビライザー５２０は制御回路５７０に通信上結合されていてもよい。制御回路５７０は、偏光スタビライザー５２０の固定軸の所望される配向に関して偏光スタビライザー５２０に通知するよう構成されていてもよい。所望される配向は、たとえば、入力信号、偏光スタビライザー５２０の検出された出力または偏光ビームスプリッター５３０の配向の性質または種類に基づいていてもよい。
【００９３】
ひとたび固定軸に安定化されたら、光信号は偏光スタビライザー５２０から偏光ビームスプリッター５３０に渡されてもよい。偏光ビームスプリッターは、上記の偏光ビームスプリッター３３０と同様に動作し、実装されてもよい。同様に、遅延干渉計５４０ａおよび５４０ｂは、上記の遅延干渉計３４０ａおよび３４０ｂと同様に機能してもよい；パワー計５５０ａ〜５５０ｄは、上記のパワー計３５０ａ〜３５０ｄと同様に機能してもよい；データ・プロセッサ５６０および制御回路５７０は、測定されたOSNRにおけるアーチファクトを打ち消すよう補正表を適用することも含め、データ・プロセッサ３６０および制御回路３７０と同様に機能してもよい。
【００９４】
上記のように、いくつかの実施形態では、パワー計の数は、まず光信号のある波長および偏光成分のP1（たとえば増加的干渉）を測定し、次いで信号が位相シフトにπを加えたものとなるよう位相シフト・コンポーネントをチューニングし直して、次いでP2（たとえば相殺的干渉）を測定することによって、半分に減らすことができる。
【００９５】
図５に示した実施形態を使うと、OSNRは光信号のx偏光およびy偏光成分について別個にかつ独立して決定されうる。さらに、これらは本質的に同時にかつ本質的にリアルタイムで決定されうる。
【００９６】
図６は、OSNRモニタ装置６００の代替的な実施形態を示している。OSNRモニタ装置６００は、前記波長処置装置として、光チューニング可能BPF  ６１０を有していてもよい。OSNRモニタ装置６００は、前記偏光処置コンポーネントとして、偏光スタビライザー６２０および偏光子６３０を有していてもよい。OSNRモニタ装置６００はまた、干渉計１２５として、遅延干渉計６４０を有していてもよい。OSNRモニタ装置６００は、前記コントローラとして、データ・プロセッサ６６０および制御回路６７０を有していてもよい。OSNRモニタ装置６００はまた、パワー計６５０ａおよび６５０ｂをも含んでいてもよい。
【００９７】
OSNRモニタ装置６００は光信号、たとえば光信号６０５を受領してもよい。光信号は、最初、光チューニング可能BPF  ６１０によって選択される特定の波長を有していてもよい。光チューニング可能BPF  ６１０は、上記の光チューニング可能BPF  ３１０と同様の仕方で動作し、実装されてもよい。次いで光チューニング可能BPF  ６１０は光信号を偏光スタビライザー６２０に渡してもよい。光信号をその固定軸に従って配向させ、安定化するためである。偏光スタビライザー６２０は、上記の偏光スタビライザー５２０と同様の仕方で機能し、実装されてもよい。偏光スタビライザー６２０の軸は、光信号が偏光子６３０の固定軸を通して送られるとき、光信号の複数の偏光成分のうちの一つの偏光成分、たとえばx偏光またはy偏光成分の一方のみが遅延干渉計６４０に渡されうるよう、偏光子６３０と整列されてもよい。遅延干渉計６４０およびパワー計６５０ａおよび６５０ｂは、上記の遅延干渉計３４０およびパワー計３５０ａ〜３５０ｄと同様の仕方で機能し、実装されてもよい。パワー計６５０ａおよび６５０ｂは、選択された波長および偏光成分についてのOSNRの計算を容易にするために、その読みをデータ・プロセッサ６６０に渡してもよい。データ・プロセッサ６６０および制御回路６７０は、測定されたOSNRにおけるアーチファクトを打ち消して補正されたOSNRに到達するよう測定されたOSNRに補正表を適用することも含め、上記のデータ・プロセッサ３６０および制御回路３７０と同様の仕方で機能し、実装されてもよい。
【００９８】
制御回路６７０は、偏光スタビライザー６２０に命令およびまたは指令を与えてもよい。たとえば、図６に示されるように、第一の偏光成分のOSNRが決定されたのち、制御回路６７０は偏光スタビライザー６２０に、どの偏光成分がその固定軸に沿うかを配向させ直すよう指令してもよい。たとえば、偏光子６３０が偏光スタビライザー６２０から受領されたx偏光成分を扱うよう配向されていた場合、x偏光成分についてのOSNRが決定されたのち、制御回路６７０は、偏光スタビライザー６２０に、それまでx偏光成分が占めていた軸にy偏光成分が配向されうるよう光信号を配向させ直すよう指令してもよい。それにより、偏光子６３０は次いで、y偏光成分についてフィルタリングしうるようになる。このようにして、偏光スタビライザー６２０は、チューニング可能偏光コントローラ４２０と同様の仕方で動作してもよい。しかしながら、チューニング可能偏光コントローラは光信号を任意の回転度数、回転させ、偏光を任意の方向に配向させうるよう構成されうる一方、偏光スタビライザーは、光信号を固定した一組の軸に配向させるよう構成されうる。ただし、光信号がそれらの軸に合うようどのようにして配向されるかは変更されうる（たとえば、x偏光成分がx軸、y軸またはz軸に沿っていてもよい）。
【００９９】
制御回路６７０は、光信号の複数の偏光成分についてOSNRの逐次的な決定を容易にしうる。たとえば、制御回路６７０は、偏光子６３０がx偏光成分を分離してそのOSNRが決定されうるようにするよう光信号を配向させるよう、偏光スタビライザー６２０に指令してもよい。ひとたび制御回路６７０がx偏光成分についてのOSNRをデータ・プロセッサ６６０から受領したら、制御回路６７０は、光信号のy偏光成分が偏光子６３０において選択され、そのOSNRが決定されうるよう、光信号を配向させ直すよう偏光スタビライザー６２０に指令してもよい。
【０１００】
上記のように、いくつかの実施形態では、パワー計の数は、まず光信号のある波長および偏光成分のP1（たとえば増加的干渉）を測定し、次いで信号が位相シフトにπを加えたものとなるよう位相シフト・コンポーネントをチューニングし直して、次いでP2（たとえば相殺的干渉）を測定することによって、半分に減らすことができる。
【０１０１】
図６に示した実施形態を使うと、OSNRは光信号のx偏光およびy偏光成分について別個にかつ独立して決定されうる。これらの偏光についてのOSNRはたとえば、まずx偏光を決定し、次いでy偏光についてOSNRを選択および決定するよう偏光スタビライザー６２０を配向させ直すことによって、逐次的に決定されてもよい。
【０１０２】
図７は、OSNRモニタ装置７００の代替的な実施形態を示している。OSNRモニタ装置７００は、前記波長処置装置として、光チューニング可能BPF  ７１０を有していてもよい。OSNRモニタ装置７００は、前記偏光処置コンポーネントとして、チューニング可能偏光子７３０ａおよび７３０ｂを有していてもよい。OSNRモニタ装置７００はまた、干渉計１２５として、遅延干渉計７４０ａおよび７４０ｂを有していてもよい。OSNRモニタ装置７００は、前記コントローラとして、データ・プロセッサ７６０および制御回路７７０を有していてもよい。OSNRモニタ装置７００はまた、パワー計７５０ａ〜７５０ｄをも含んでいてもよい。OSNRモニタ装置７００はさらに、信号スプリッター７２０を有していてもよい。
【０１０３】
OSNRモニタ装置７００は光信号、たとえば光信号７０５を受領してもよい。光信号は、最初、光チューニング可能BPF  ７１０によって選択された特定の波長を有していてもよい。光チューニング可能BPF  ７１０は、上記の光チューニング可能BPF  ３１０と同様の仕方で動作し、実装されてもよい。光チューニング可能BPF  ７１０は次いで、光信号を信号スプリッター７２０に渡してもよい。信号スプリッター７２０は、入来信号を複数の経路に分割するよう構成されたいかなるシステム、装置、回路またはそれらの組み合わせであってもよい。信号スプリッター７２０は、信号分割に付随する損失、たとえば3デシベル（dB）を有していてもよい。信号スプリッター７２０は、分割された信号のそれぞれが未分割信号と同じ情報および／またはフォーマットをもちうるが低下した振幅をもつよう構成されていてもよい。たとえば、信号が正弦波であれば、分割された信号においても同じ正弦波関数が観察されてもよく、振幅だけが低下しているのでもよい。
【０１０４】
図７に示されるように、信号スプリッター７２０からの経路のそれぞれは光信号をチューニング可能偏光子７３０ａおよび７３０ｂまで搬送してもよい。チューニング可能偏光子７３０ａおよび７３０ｂは偏光子４３０と同様の仕方で動作するよう構成されていてもよい。しかしながら、フィルタリングされる目的となる固定された軸をもつのではなく、チューニング可能偏光子７３０ａおよび７３０ｂは、選択される軸の配向を変えるよう、修正および調整されうる。たとえば、光信号が該信号のx偏光成分を15度シフトされていた場合、チューニング可能偏光子７３０ａを通じてx偏光成分が選択されうるよう、チューニング可能偏光子７３０ａは15度チューニングされてもよい。この例をさらに進めると、チューニング可能偏光子７３０ｂは光信号のy偏光成分について選択するようチューニングされてもよい。チューニング可能偏光子７３０ａおよび７３０ｂは、たとえば任意の装置、システムまたはアナログもしくはデジタル回路によってそのような調整を実行するよういかなる好適な仕方で実装されてもよい。チューニング可能偏光子７３０ａおよび７３０ｂは制御回路７７０に通信上結合されていてもよい。制御回路７７０はチューニング可能偏光子７３０ａおよび７３０ｂの動作を調整するよう構成されていてもよい。そのような調整は、たとえば、チューニング可能偏光子７３０ａまたは７３０ｂの入力信号または検出される出力の性質または種類に基づいていてもよい。いくつかの実施形態では、制御回路７７０が、x偏光またはy偏光成分の一方のために必要とされるチューニングの度合いを決定してもよく、次いで、それを90度シフトすることによって他方を決定してもよい。上記の例を使うと、制御回路７７０がx偏光が15度シフトされたと判定した場合、制御回路７７０はチューニング可能偏光子７３０ａに、15度チューニングされるよう命令してもよく、チューニング可能偏光子７３０ｂには15度に90度を加えたもの、すなわち105度チューニングされるよう命令してもよい。
【０１０５】
チューニング可能偏光子７３０ａおよび７３０ｂから出力される信号は、遅延干渉計７４０ａおよび７４０ｂに渡されてもよい。遅延干渉計７４０ａおよび７４０ｂならびにパワー計７５０ａ〜７５０ｄは、上記の遅延干渉計３４０ａおよび３４０ｂならびにパワー計３５０ａ〜３５０ｄと同様の仕方で機能し、実装されてもよい。パワー計７５０ａ〜７５０ｄは、選択された波長および偏光成分についてのOSNRの計算を容易にするために、その読みをデータ・プロセッサ７６０に渡してもよい。データ・プロセッサ７６０および制御回路７７０は、測定されたOSNRにおけるアーチファクトを打ち消して補正されたOSNRに到達するよう測定されたOSNRに補正表を適用することも含め、上記のデータ・プロセッサ３６０および制御回路３７０と同様の仕方で機能し、実装されてもよい。
【０１０６】
上記のように、いくつかの実施形態では、パワー計の数は、まず光信号のある波長および偏光成分のP1（たとえば増加的干渉）を測定し、次いで信号が位相シフトにπを加えたものとなるよう位相シフト・コンポーネントをチューニングし直して、次いでP2（たとえば相殺的干渉）を測定することによって、半分に減らすことができる。
【０１０７】
図７に示した実施形態を使うと、OSNRは光信号のx偏光およびy偏光成分について別個にかつ独立して決定されうる。さらに、これらは本質的に同時にかつ本質的にリアルタイムで決定されうる。
【０１０８】
図８は、OSNRモニタ装置８００の代替的な実施形態を示している。OSNRモニタ装置８００は、光チューニング可能BPF  ８１０を有していてもよい。OSNRモニタ装置８００は、前記偏光処置コンポーネントとして、チューニング可能偏光子８２０を有していてもよい。OSNRモニタ装置８００はまた、干渉計１２５として、遅延干渉計８４０をも有していてもよい。OSNRモニタ装置８００は、前記コントローラとして、データ・プロセッサ８６０および制御回路８７０を有していてもよい。OSNRモニタ装置８００はまた、パワー計８５０ａおよび８５０ｂをも含んでいてもよい。
【０１０９】
OSNRモニタ装置８００は光信号、たとえば光信号８０５を受領してもよい。光信号は、最初、光チューニング可能BPF  ８１０によって選択された特定の波長を有していてもよい。光チューニング可能BPF  ８１０は、上記の光チューニング可能BPF  ３１０と同様の仕方で動作し、実装されてもよい。光チューニング可能BPF  ８１０は次いで、光信号をチューニング可能偏光子８２０に渡してもよい。チューニング可能偏光子８２０は、チューニング可能偏光子７３０ａおよび７３０ｂと同様の仕方で動作し、実装されてもよい。しかしながら、ひとたび光信号の第一の偏光成分についてOSNRが決定されたら、制御回路８７０は、第二の偏光成分についてのOSNRの決定を容易にするよう、光信号の第二の偏光成分を選択するよう、選択する軸を配向させ直すようチューニング可能偏光子に指令してもよい。たとえば、チューニング可能偏光子８２０は、最初、光信号のx偏光成分を選択し出すよう配向されていてもよい。ひとたび制御回路８７０がx偏光成分についてのOSNRが決定されたことを認識したら、制御回路８７０は、チューニング可能偏光子がx偏光成分ではなく光信号のy偏光成分を選択し出すよう自らをチューニングするよう、チューニング可能偏光子８２０に指令してもよい。これは、光信号の複数の偏光についてOSNRの逐次的な独立した決定を容易にしうる。
【０１１０】
チューニング可能偏光子８２０からの信号出力は、遅延干渉計８４０に渡されてもよい。遅延干渉計８４０ならびにパワー計８５０ａおよび８５０ｂは、上記の遅延干渉計３４０ａおよび３４０ｂならびにパワー計３５０ａ〜３５０ｄと同様の仕方で機能し、実装されてもよい。パワー計８５０ａおよび８５０ｂは、選択された波長および偏光成分についてのOSNRの計算を容易にするために、その読みをデータ・プロセッサ８６０に渡してもよい。データ・プロセッサ８６０および制御回路８７０は、測定されたOSNRにおけるアーチファクトを打ち消して補正されたOSNRに到達するよう測定されたOSNRに補正表を適用することも含め、上記のデータ・プロセッサ３６０および制御回路３７０と同様の仕方で機能し、実装されてもよい。
【０１１１】
上記のように、いくつかの実施形態では、パワー計の数は、まず光信号のある波長および偏光成分のP1（たとえば増加的干渉）を測定し、次いで信号が位相シフトにπを加えたものとなるよう位相シフト・コンポーネントをチューニングし直して、次いでP2（たとえば相殺的干渉）を測定することによって、半分に減らすことができる。
【０１１２】
図８に示した実施形態を使うと、OSNRは光信号のx偏光およびy偏光成分について別個にかつ独立して決定されうる。これらの偏光についてのOSNRは、たとえば、まずx偏光を決定し、次いでy偏光についてOSNRを選択し、決定するようチューニング可能偏光子８２０を配向させ直すことによって、逐次的に決定されうる。
【０１１３】
図９のＡおよびＢは、OSNRモニタ装置９００の代替的な実施形態を示している。図９のＡに示されるように、OSNRモニタ装置９００は、前記波長処置装置として、波長選択スイッチ（WSS:  wavelength  selective  switch）９３０ａを有していてもよい。OSNRモニタ装置９００は、前記偏光処置コンポーネントとして、チューニング可能偏光コントローラ９１０および偏光子９２０を有していてもよい。OSNRモニタ装置９００は、前記コントローラとして、データ・プロセッサ９６０および制御回路９７０を有していてもよい。OSNRモニタ装置９００はまた、パワー計９５０ａおよび９５０ｂをも含んでいてもよい。
【０１１４】
OSNRモニタ装置９００は光信号、たとえば光信号９０５を受領してもよい。チューニング可能偏光コントローラ９１０および偏光子９２０は、チューニング可能偏光コントローラ４２０および偏光子４３０と同様の仕方で機能し、実装されてもよい。たとえば、チューニング可能偏光コントローラ９１０は、光信号の偏光の一方を偏光子９２０の軸と整列させるよう、光信号を配向させてもよい。ひとたびその偏光成分についてOSNRが決定されたら、制御回路９７０は、第二の偏光成分が偏光子９２０の軸と整列されるよう光信号をチューニングするようチューニング可能偏光子に命令してもよい（たとえば、まずx偏光、次いでy偏光を整列させることによる）。偏光子９２０の出力はWSS  ９３０ａに渡されてもよい。
【０１１５】
WSS  ９３０ａは、たとえばフィルタリング、遅延、位相シフトまたはそれらの任意の組み合わせを含む光信号に対するさまざまな波長処置を知的に実行するよう構成されていてもよい。このように、WSS  ９３０ａは、たとえば波長毎に、光信号の所望されるチャネルを、そのOSNRが決定されるよう選択するよう構成されていてもよい。WSS  ９３０ａは、こうした機能の実行を容易にする、装置、システム、回路またはその組み合わせのようないかなる好適な仕方で実装されてもよい。たとえば、WSS  ９３０ａは、ファイバー、能動または受動的な構成設定可能フィルタ、アレイ導波路、電気機械装置、クリスタルまたはその任意の組み合わせを含んでいてもよい。WSS  ９３０ａは、制御回路９７０に通信上結合されていてもよい。制御回路９７０は、たとえば、入力信号をフィルタリング、遅延または位相シフトするようWSS  ９３０ａの動作を調整するよう構成されていてもよい。そのような調整は、入力光信号、WSS  ９３０ａの検出される出力または偏光子９２０の検出される出力の性質または種類に基づいていてもよい。いくつかの実施形態では、WSS  ９３０は一つの入力および二つの出力をもつものとして実装されてもよいし（たとえば、WSS  ９３０ａのような1×2のWSS）、あるいは一つの入力と一つの出力をもつものとして実装されてもよい（たとえば、図９のＢに示すWSS  ９３０ｂのような1×1のWSS）。
【０１１６】
WSS  ９３０ａは、プロセッサ、マイクロプロセッサ、マイクロコントローラ、FPGA、ASICまたはWSS  ９３０ａが光信号のフィルタリング、遅延または位相シフトのいずれかを実行するのを容易にする他の何らかの論理デバイスを有していてもよい。たとえば、WSS  ９３０ａは、信号の成分を遅延させる、位相を調整する、フィルタリングするまたはパワー・レベルを調整するよう構成されたモジュール、回路またはソフトウェアを含んでいてもよい。たとえば、入力信号の位相は、OSNRの決定を容易にするために調整されてもよい。さらに、WSS  ９３０ａは、WSS  ９３０ａの動作を制御するよう構成されたソフトウェアを含んでいてもよい。ソフトウェアは、プロセッサによる実行のためのコンピュータ可読媒体上に存在する命令を含んでいてもよい。
【０１１７】
WSS  ９３０ａは、遅延干渉計３４０ａおよび３４０ｂと同様の仕方で、同様の原理に基づいて動作するよう構成されていてもよい。たとえば、WSS  ９３０ａは、WSS  ９３０ａの二つの出力の比較がOSNRを決定するために使用されうるよう、出力を遅延および／または位相シフトさせてもよい。いくつかの実施形態では、出力信号は各出力について二つの部分に分割されてもよく（よって、1×2のWSSについては、光信号は四つの部分に分割されうる）、各部分は個々に扱われてもよい。たとえば、第一の部分は不変のままであってもよく、第二の部分は遅延および位相シフトされてもよく、これら最初の二つの部分が増加的干渉として互いと干渉させられて、出力の一方において出力されてもよい。第三の部分は不変のままであってもよく、第四の部分は先と同様に遅延および位相シフトされ、さらにπラジアンを加えられてもよい。第三および第四の部分は相殺的干渉として互いと干渉させられて、出力の他方において出力されてもよい。WSS  ９３０ａの出力は、パワー計９５０ａおよび９５０ｂに渡されてもよい。パワー計９５０ａおよび９５０ｂは、パワー計３５０ａ〜３５０ｄと同様の仕方で機能してもよく、実装されてもよい。パワー計９５０ａおよび９５０ｂは、選択された波長および偏光成分についてのOSNRの計算を容易にするために、その読みをデータ・プロセッサ９６０に渡してもよい。データ・プロセッサ９６０および制御回路９７０は、測定されたOSNRにおけるアーチファクトを打ち消して補正されたOSNRに到達するよう測定されたOSNRに補正表を適用することも含め、上記のデータ・プロセッサ３６０および制御回路３７０と同様の仕方で機能し、実装されてもよい。
【０１１８】
図９のＢを参照するに、1×2のWSS（たとえばWSS  ９３０ａ）を使うのではなく、いくつかの実施形態では、1×1のWSS（たとえばWSS  ９３０ｂ）が使用されてもよい。たとえば、図９のＡの破線の部分が図９のＢの破線の部分で置き換えられてもよい。そのような実施形態では、OSNRモニタ装置９００は、WSS  ９３０ｂの唯一の出力を受領するパワー計９５０ｃを含んでいてもよい。遅延干渉計は二つの信号を出力し、それらのパワーを比較させるが、WSS  ９３０ｂはそれらの信号の一方をまず出力し、そのパワーをたとえばデータ・プロセッサ９６０または制御回路９７０の一方に記憶しておいてもよく、次いでWSS  ９３０ｂは他方の信号を出力してもよく、それにより両方の出力信号を使ってOSNRが決定されうる。たとえば、上記のように「P1」および「P2」を同時に決定するのではなく、「P1」および「P2」はWSS  ９３０ｂおよびパワー計９５０ｃを使って逐次的に決定されうる。
【０１１９】
図９のＡおよびＢに示した実施形態を使うと、OSNRは光信号のx偏光およびy偏光成分について別個にかつ独立して決定されてもよい。これらの偏光についてのOSNRはたとえば、まずx偏光を決定し、次いでy偏光成分についてのOSNRが決定されうるようチューニング可能偏光コントローラ９１０を配向し直すことによって、逐次的に決定されてもよい。図９のＢに示した実施形態を使うと、偏光成分の一方についてのOSNRを決定するために使われる二つの信号のそれぞれは、同時ではなく逐次的に測定されうる。
【０１２０】
図１０のＡおよびＢは、OSNRモニタ装置１０００の代替的な実施形態を示している。図１０のＡに示されるように、OSNRモニタ装置１０００は、前記波長処置装置として、波長選択スイッチ（WSS:  wavelength  selective  switch）１０３０ａを有していてもよい。OSNRモニタ装置１０００は、前記偏光処置コンポーネントとして、チューニング可能偏光子１０１０を有していてもよい。OSNRモニタ装置１０００は、前記コントローラとして、データ・プロセッサ１０６０および制御回路１０７０を有していてもよい。OSNRモニタ装置１０００はまた、パワー計１０５０ａおよび１０５０ｂをも含んでいてもよい。
【０１２１】
OSNRモニタ装置１０００は光信号、たとえば光信号１００５を受領してもよい。チューニング可能偏光子１０１０はチューニング可能偏光子８２０と同様の仕方で機能し、実装されてもよい。たとえば、チューニング可能偏光子１０１０は、光信号の偏光の一方と整列するようその固定軸を配向させてもよい。ひとたびその偏光成分についてOSNRが決定されたら、制御回路１０７０は、第二の偏光成分がチューニング可能偏光子１０１０の軸と整列されるようチューニング可能偏光子１０１０をチューニングするようチューニング可能偏光子１０１０に命令してもよい（たとえば、まずx偏光、次いでy偏光を整列させることによる）。チューニング可能偏光子１０１０の出力はWSS  １０３０ａに渡されてもよい。WSS  １０３０ａは、WSS  ９３０ａと同様の仕方で機能し、実装されてもよい。
【０１２２】
WSS  １０３０ａの出力は、パワー計１０５０ａおよび１０５０ｂに渡されてもよい。パワー計１０５０ａおよび１０５０ｂは、パワー計３５０ａ〜３５０ｄと同様の仕方で機能してもよく、実装されてもよい。パワー計１０５０ａおよび１０５０ｂは、選択された波長および偏光成分についてのOSNRの計算を容易にするために、その読みをデータ・プロセッサ１０６０に渡してもよい。データ・プロセッサ１０６０および制御回路１０７０は、測定されたOSNRにおけるアーチファクトを打ち消して補正されたOSNRに到達するよう測定されたOSNRに補正表を適用することも含め、上記のデータ・プロセッサ３６０および制御回路３７０と同様の仕方で機能し、実装されてもよい。
【０１２３】
図１０のＢを参照するに、1×2のWSS（たとえばWSS  １０３０ａ）を使うのではなく、いくつかの実施形態では、1×1のWSS（たとえばWSS  １０３０ｂ）が使用されてもよい。たとえば、図１０のＡの破線の部分が図１０のＢの破線の部分で置き換えられてもよい。そのような実施形態では、OSNRモニタ装置１０００は、WSS  １０３０ｂの唯一の出力を受領するパワー計１０５０ｃを含んでいてもよい。WSS  １０３０ｂは、WSS  ９３０ｂと同様の仕方で機能し、実装されてもよい。
【０１２４】
図１０のＡおよびＢに示した実施形態を使うと、OSNRは光信号のx偏光およびy偏光成分について別個にかつ独立して決定されてもよい。これらの偏光についてのOSNRはたとえば、まずx偏光を決定し、次いでy偏光成分についてのOSNRが決定されうるようチューニング可能偏光子１０１０を配向し直すことによって、逐次的に決定されてもよい。図１０のＢに示した実施形態を使うと、偏光成分の一方についてのOSNRを決定するために使われる二つの信号のそれぞれは、同時ではなく逐次的に測定されうる。
【０１２５】
図１１のＡおよびＢは、OSNRモニタ装置１１００の代替的な実施形態を示している。図１１のＡに示されるように、OSNRモニタ装置１１００は、前記波長処置装置として、WSS  １１３０ａを有していてもよい。OSNRモニタ装置１１００は、前記偏光処置コンポーネントとして、偏光スタビライザー１１１０および偏光子１１２０を有していてもよい。OSNRモニタ装置１１００は、前記コントローラとして、データ・プロセッサ１１６０および制御回路１１７０を有していてもよい。OSNRモニタ装置１１００はまた、パワー計１１５０ａおよび１１５０ｂをも含んでいてもよい。
【０１２６】
OSNRモニタ装置１１００は光信号、たとえば光信号１１０５を受領してもよい。偏光スタビライザー１１１０および偏光子１１２０は、偏光スタビライザー６２０および偏光子６３０と同様の仕方で機能し、実装されてもよい。たとえば、偏光スタビライザー１１１０は、受領された光信号の偏光成分を、偏光子１１２０の固定軸と整列するよう安定化してもよい。ひとたびその偏光成分についてOSNRが決定されたら、制御回路１１７０は、第二の偏光成分が偏光子１１２０の軸と整列されるよう、どの偏光成分がその固定軸のどれに沿うかを再配向するよう、偏光スタビライザー１１１０に命令してもよい。たとえば、偏光スタビライザー１１１０は、まずx偏光を、偏光子１１２０の固定軸と整列されている偏光スタビライザー１１１０の軸に沿って安定化してもよく、次いで、y偏光を、偏光子１１２０の固定軸と整列されている軸に沿って安定化してもよい。偏光子１１２０の出力はWSS  １１３０ａに渡されてもよい。WSS  １１３０ａは、WSS  ９３０ａと同様の仕方で機能し、実装されてもよい。
【０１２７】
WSS  １１３０ａの出力は、パワー計１１５０ａおよび１１５０ｂに渡されてもよい。パワー計１１５０ａおよび１１５０ｂは、パワー計３５０ａ〜３５０ｄと同様の仕方で機能してもよく、実装されてもよい。パワー計１１５０ａおよび１１５０ｂは、選択された波長および偏光成分についてのOSNRの計算を容易にするために、その読みをデータ・プロセッサ１１６０に渡してもよい。データ・プロセッサ１１６０および制御回路１１７０は、測定されたOSNRにおけるアーチファクトを打ち消して補正されたOSNRに到達するよう測定されたOSNRに補正表を適用することも含め、上記のデータ・プロセッサ３６０および制御回路３７０と同様の仕方で機能し、実装されてもよい。
【０１２８】
図１１のＢを参照するに、1×2のWSS（たとえばWSS  １１３０ａ）を使うのではなく、いくつかの実施形態では、1×1のWSS（たとえばWSS  １１３０ｂ）が使用されてもよい。たとえば、図１１のＡの破線の部分が図１１のＢの破線の部分で置き換えられてもよい。そのような実施形態では、OSNRモニタ装置１１００は、WSS  １１３０ｂの唯一の出力を受領するパワー計１１５０ｃを含んでいてもよい。WSS  １１３０ｂは、WSS  ９３０ｂと同様の仕方で機能し、実装されてもよい。
【０１２９】
図１１のＡおよびＢに示した実施形態を使うと、OSNRは光信号のx偏光およびy偏光成分について別個にかつ独立して決定されてもよい。これらの偏光についてのOSNRはたとえば、まずx偏光を決定し、次いでy偏光成分についてのOSNRが決定されうるよう偏光スタビライザー１１１０を使って光信号を配向し直すことによって、逐次的に決定されてもよい。図１１のＢに示した実施形態を使うと、偏光成分の一方についてのOSNRを決定するために使われる二つの信号のそれぞれは、同時ではなく逐次的に測定されうる。
【０１３０】
本稿において、「または」は、そうでないことが明示的に示されるまたはそうでないことが示されるまたはコンテキストによってそうでないことが示されるのでない限り、排他的ではなく、包含的である。したがって、本稿において「AまたはB」は、そうでないことが明示的に示されるまたはそうでないことがコンテキストによって示されるのでない限り、「A、Bまたは両方」を意味する。さらに、「および」は、そうでないことが明示的に示されるまたはそうでないことがコンテキストによって示されるのでない限り、合同および個々である。したがって、「AおよびB」は、そうでないことが明示的に示されるまたはそうでないことがコンテキストによって示されるのでない限り、「合同してまたは個々にAおよびB」を意味する。
【０１３１】
具体的な実施形態は、ハードウェア、ソフトウェアまたはハードウェアおよびソフトウェアの組み合わせとして実装されうる。限定ではなく例として、一つまたは複数のコンピュータ・システムが、本稿に記載または例解される一つまたは複数のプロセスの一つまたは複数の段階を実行するよう具体的な論理またはソフトウェアを実行してもよい。具体的な実施形態を実装するソフトウェアは、いかなる好適なプログラミング言語（手続き型言語でもオブジェクト指向言語でもよい）で、あるいは適切な場合には複数のプログラミング言語の組み合わせで書かれていてもよい。さまざまな実施形態において、ソフトウェアはコンピュータ可読媒体に記憶されていてもよい。いかなる好適な型の単数または複数のコンピュータ・システム（単一プロセッサまたは複数プロセッサ・コンピュータ・システムのような）が、適切な場合には具体的な実施形態を実装するソフトウェアを実行してもよい。適切な場合には、汎用コンピュータ・システムが具体的な実施形態を実装するソフトウェアを実行してもよい。ある種の実施形態では、一つまたは複数の機能の実装の間に、論理の諸部分がコンポーネントによって送信およびまたは受信されてもよい。
【０１３２】
本稿において、コンピュータ可読記憶媒体への言及は、構造を有する一つまたは複数の非一時的な有体のコンピュータ可読記憶媒体を包含する。限定ではなく例として、コンピュータ可読媒体は、半導体ベースまたはその他の集積回路（IC）（たとえばFPGAまたは特定用途向けIC（ASIC）のような）、ハードディスク、HDD、ハイブリッドハードドライブ（HHD）、光ディスク、光ディスク・ドライブ（ODD）、光磁気ディスク、磁気媒体、固体ドライブ（SSD）、RAMドライブまたは他の好適なコンピュータ可読記憶媒体または適切な場合にはこれらの二つ以上の組み合わせを含みうる。コンピュータ可読な非一時的な記憶媒体は揮発性、不揮発性または適切な場合には揮発性および不揮発性の組み合わせであってもよい。
【０１３３】
本開示は、いかなう好適な記憶を実装する一つまたは複数のコンピュータ可読記憶媒体をも考えている。具体的な実施形態では、コンピュータ可読記憶媒体は、プロセッサの一つまたは複数の部分、メモリの一つまたは複数の部分または適切な場合にはこれらの組み合わせを実装する。具体的な実施形態では、コンピュータ可読記憶媒体はRAMまたはROMを実装する。具体的な実施形態では、コンピュータ可読記憶媒体は揮発性または持続性メモリを実装する。
【０１３４】
本開示は、当業者が把握するであろう本稿の例示的実施形態に対するあらゆる変更、置換、変形、改変および修正を包含する。同様に、適切な場合には、付属の請求項は、当業者が把握するであろう本稿の例示的実施形態に対するあらゆる変更、置換、変形、改変および修正を包含する。さらに、付属の請求項における特定の機能を実行するよう適応されている、配置されている、機能をもつ、構成されている、可能にされている、動作可能であるまたは動作する装置またはシステムまたは装置またはシステムのコンポーネントへの言及は、該装置、システム、コンポーネントまたはその特定の機能がアクティブ、オンまたはアンロックされているかどうかに関わりなく、その装置、システムまたはコンポーネントがそのように適応されている、配置されている、機能をもつ、構成されている、可能にされている、動作可能であるまたは動作する限り、その装置、システム、コンポーネントを包含する。たとえば、さまざまな実施形態は、上記の段階の全部を実行することもあれば、一部を実行することもあれば、一つも実行しないこともある。さまざまな実施形態は、記載される機能をさまざまな順序で実行しうる。
【０１３５】
本開示は、いくつかの実施形態との関連で上記されているが、当業者には変更、置換、変形、改変、変換および修正が示唆されることがありうる。本開示は付属の請求項の精神および範囲内にはいるそのような変更、置換、変形、改変、変換および修正を包含することが意図されている。
【０１３６】
以上の実施例を含む実施形態に関し、さらに以下の付記を開示する。
（付記１）
測定された光信号対雑音比（OSNR）を補正するための補正表を生成する、コンピューティング・プロセッサにより実装される方法であって：
光信号を受領する段階と；
コントローラによって、前記光信号の測定されたOSNRに付随するアーチファクトを検出する段階と；
前記コントローラによって、前記アーチファクトを打ち消すための補正関数を計算する段階であって、前記補正関数は測定されたOSNRにわたって変化する、段階と；
前記補正関数を非一時的なコンピュータ可読媒体において前記補正表に格納する段階とを含む、
方法。
（付記２）
付記１記載の方法であって、さらに：
第一の既知の値をもつ第一のOSNRを測定する段階と；
第二の既知の値をもつ第二のOSNRを測定する段階とを含み、
前記アーチファクトの補正関数を計算する段階が：
前記第一のOSNRと前記第一の既知の値との間の前記アーチファクトによって引き起こされる第一の差を決定し；
前記第二のOSNRと前記第二の既知の値との間の前記アーチファクトによって引き起こされる第二の差を決定することを含む、
方法。
（付記３）
前記アーチファクトが、通過帯域縮小効果、光フィルタの周波数オフセットおよび送信器の周波数オフセットのうちの一つを含む、付記１記載の方法。
（付記４）
前記アーチファクトが、通過帯域縮小効果、光フィルタの周波数オフセットまたは送信器の周波数オフセットを含む場合に、前記補正表の異なる補正関数が生成される、付記３記載の方法。
（付記５）
異なる帯域幅、前記光信号の異なるパワーおよび前記光信号が通過した、ネットワークの異なるスパン数について異なる補正関数が生成される、付記１記載の方法。
（付記６）
異なる光信号変調方式が、パワー分布および較正因子(s,a)について異なる値をもつ、付記１記載の方法。
（付記７）
前記OSNRが式
【数３】
2015133699.tif 000005
を使って測定される、付記１記載の方法。
（付記８）
前記補正表が、5dBないし35dBのOSNRについての補正を含む、付記１記載の方法。
（付記９）
前記補正表が、実際のOSNRの0.5dB以内まで前記測定されたOSNRを補正する、付記１記載の方法。
（付記１０）
測定された光信号対雑音比（OSNR）を補正する、コンピューティング・プロセッサにより実装される方法であって：
光信号を受領する段階と；
干渉式OSNRモニタ装置を使って前記光信号のOSNRを測定する段階と；
コントローラを使って、測定されたOSNRに補正表を適用して補正されたOSNRを生成する段階であって、前記補正表は、測定されたOSNR内のアーチファクトを打ち消す補正関数を含む、段階と；
補正されたONSRを非一時的なコンピュータ可読媒体に格納する段階とを含む、
方法。
（付記１１）
前記光信号が複数のデータ搬送波長を含み、当該方法がさらに：
前記光信号から第一のデータ搬送波長を分離する段階を含み、
前記測定されたOSNRは、前記第一のデータ搬送波長および付随する帯域内ノイズについて測定される、
付記１０記載の方法。
（付記１２）
前記光信号が複数のデータ搬送極性を含み、当該方法がさらに：
前記第一のデータ搬送波長の第一の極性を分離する段階を含み、
前記測定されたOSNRは、前記第一のデータ搬送波長の前記第一の極性および付随する帯域内ノイズについて測定される、
付記１１記載の方法。
（付記１３）
前記アーチファクトが、通過帯域縮小効果、光フィルタの周波数オフセットおよび送信器の周波数オフセットのうちの一つを含む、付記１０記載の方法。
（付記１４）
前記アーチファクトが、通過帯域縮小効果、光フィルタの周波数オフセットまたは送信器の周波数オフセットである場合に、異なる補正関数が適用される、付記１３記載の方法。
（付記１５）
異なる帯域幅、前記光信号の異なるパワーおよび前記光信号が通過した、ネットワークの異なるスパン数について異なる補正関数が適用される、付記１０記載の方法。
（付記１６）
異なる光信号変調方式が、パワー分布および較正因子(s,a)について異なる値をもつ、付記１０記載の方法。
（付記１７）
前記OSNRが式
【数４】
2015133699.tif 000006
を使って測定される、付記１０記載の方法。
（付記１８）
前記補正表が、5dBないし35dBのOSNRについての補正を含む、付記１０記載の方法。
（付記１９）
前記補正表が、実際のOSNRの0.5dB以内まで前記測定されたOSNRを補正する、付記１０記載の方法。
（付記２０）
光信号の測定された光信号対雑音比（OSNR）を補正する装置であって：
前記光信号のOSNRが測定されるもとになりうる値を生成するよう構成されたモニタ装置と；
前記モニタ装置によって生成された値を使って前記光信号のOSNRを測定し、測定されたOSNRに補正表を適用して補正されたOSNRを生成するよう構成されたコントローラであって、前記補正表は、測定されたOSNR内のアーチファクトを打ち消す補正関数を含む、コントローラと；
前記コントローラから補正されたOSNRを受け取って該補正されたOSNRを記憶する非一時的なコンピュータ可読媒体とを有する、
装置。
（付記２１）
前記モニタ装置が、前記光信号中の複数のデータ搬送波長から第一のデータ搬送波長を分離するようさらに構成されており、前記測定されたOSNRは、前記第一のデータ搬送波長および付随する帯域内ノイズについて測定される、付記２０記載の装置。
（付記２２）
前記モニタ装置が、前記光信号中の複数の極性から第一の極性を分離するようさらに構成されており、前記測定されたOSNRは、前記第一のデータ搬送波長の前記第一の極性および付随する帯域内ノイズについて測定される、付記２１記載の装置。
（付記２３）
前記アーチファクトが、通過帯域縮小効果、光フィルタの周波数オフセットおよび送信器の周波数オフセットのうちの一つを含む、付記２０記載の装置。
（付記２４）
前記アーチファクトが、通過帯域縮小効果、光フィルタの周波数オフセットまたは送信器の周波数オフセットである場合に、異なる補正関数が適用される、付記２３記載の装置。
（付記２５）
異なる帯域幅、前記光信号の異なるパワーおよび前記光信号が通過した、ネットワークの異なるスパン数について異なる補正関数が適用される、付記２０記載の装置。
（付記２６）
異なる光信号変調方式が、パワー分布および較正因子(s,a)について異なる値をもつ、付記２０記載の装置。
（付記２７）
前記OSNRが式
【数５】
2015133699.tif 000007
を使って測定される、付記２０記載の装置。
（付記２８）
前記補正表が、5dBないし35dBのOSNRについての補正を含む、付記２０記載の装置。
（付記２９）
前記補正表が、実際のOSNRの0.5dB以内まで前記測定されたOSNRを補正する、付記２０記載の装置。
【符号の説明】
【０１３７】
１１０  ノード
１２０  OSNRモニタ装置
１２１  モニタリング装置
１２２  偏光処置
１２４  波長処置
１２５  干渉計
１２６  パワー計
１２８  コントローラ
１２９  補正表
１３０  ノード・コントローラ
１４０  スイッチング・デバイス
１５０  入来信号
１５２  副次成分
１５４  主要成分
１６０  出行信号
１６２  副次成分
１６４  主要成分
３００、４００、５００、６００、７００、８００、９００、１０００、１１００  OSNRモニタ装置
２０５、３０５、４０５、５０５、６０５、７０５、８０５、９０５、１００５、１１０５  光信号
２１０  信号モニタ
３１０、４１０、５１０、６１０、７１０、８１０  光チューニング可能BPF
３２０、４２０、９１０  チューニング可能偏光コントローラ
５２０、６２０、１１１０  偏光スタビライザー
７２０  信号スプリッター
３３０、５３０  偏光ビームスプリッター（固定軸）
４３０、６３０、９２０、１１２０  偏光子（固定軸）
７３０、８２０、１０１０  チューニング可能偏光子
９３０、１０３０、１１３０  波長選択スイッチ（WSS）
３４０、４４０、５４０、６４０、７４０、８４０  遅延干渉計
３５０、４５０、５５０、６５０、７５０、８５０、９５０、１０５０、１１５０  パワー計
３６０、４６０、５６０、６６０、７６０、８６０、９６０、１０６０、１１６０  データ・プロセッサ
３７０、４７０、５７０、６７０、７７０、８７０、９７０、１０７０、１１７０  制御回路
【図１】
2015133699.tif 000011
【図２Ａ】
2015133699.tif 000012
【図２Ｂ】
2015133699.tif 000013
【図３】
2015133699.tif 000014
【図４】
2015133699.tif 000015
【図５】
2015133699.tif 000016
【図６】
2015133699.tif 000017
【図７】
2015133699.tif 000018
【図８】
2015133699.tif 000019
【図９】
2015133699.tif 000020
【図１０】
2015133699.tif 000021
【図１１】
2015133699.tif 000022